(57)【要約】  制御リソースセット（ＣＯＲＥＳＥＴ）制御チャネルエレメント（ＣＣＥ）対リソースエレメントグループ（ＲＥＧ）マッピングのための端末デバイス、基地局（ＢＳ）および方法が開示される。一実施形態によれば、端末デバイスは、１つまたは複数のＣＯＲＥＳＥＴ  ＣＣＥ対ＲＥＧマッピング関係パラメータに基づいて物理ダウンリンク制御チャネル（ＰＤＣＣＨ）候補のセットを決定する。１つまたは複数のＣＯＲＥＳＥＴ  ＣＣＥ対ＲＥＧマッピング関係パラメータは固定される。別の実施形態によれば、端末デバイスは、同期信号（ＳＳ）／物理ブロードキャストチャネル（ＰＢＣＨ）ブロックを検出することによって情報を取得する。端末デバイスは、ＳＳ／ＰＢＣＨブロックの検出中に取得された情報に基づいて１つまたは複数のＣＯＲＥＳＥＴ  ＣＣＥ対ＲＥＧマッピング関係パラメータを決定する。１つまたは複数のＣＯＲＥＳＥＴ  ＣＣＥ対ＲＥＧマッピング関係パラメータと取得された情報との間の対応が、端末デバイスとＢＳとの間であらかじめ規定される。端末デバイスは、１つまたは複数のＣＯＲＥＳＥＴ  ＣＣＥ対ＲＥＧマッピング関係パラメータに基づいてＰＤＣＣＨ候補のセットを決定する。【選択図】図１
2021510955.tif 000002
【特許請求の範囲】
【請求項１】
端末デバイスにおいて実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいて物理ダウンリンク制御チャネル（ＰＤＣＣＨ）候補のセットを決定すること（１０２）
を含み、前記１つまたは複数のＣＯＲＥＳＥＴ  ＣＣＥ対ＲＥＧマッピング関係パラメータが固定されている、方法。
【請求項２】
前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含む、請求項１に記載の方法。
【請求項３】
少なくとも１つのインターリービングパラメータは、インターリーバサイズが２、３または６であることを指示し、前記決定するステップ（１０２）が、前記指示されたインターリーバサイズをもつ固定インターリーバを使用して実施される、請求項２に記載の方法。
【請求項４】
前記ＣＯＲＥＳＥＴ  ＣＣＥが残存最小システム情報（ＲＭＳＩ）ＣＯＲＥＳＥＴ  ＣＣＥである、請求項１から３のいずれか一項に記載の方法。
【請求項５】
前記１つまたは複数のＣＯＲＥＳＥＴ  ＣＣＥ対ＲＥＧマッピング関係パラメータが、前記端末デバイスと基地局（ＢＳ）との間であらかじめ規定される、請求項１から４のいずれか一項に記載の方法。
【請求項６】
前記１つまたは複数のＣＯＲＥＳＥＴ  ＣＣＥ対ＲＥＧマッピング関係パラメータの数が１つであり、前記１つのＣＯＲＥＳＥＴ  ＣＣＥ対ＲＥＧマッピング関係パラメータが、非インターリーブであるように固定されるＣＣＥ対ＲＥＧマッピングタイプである、請求項１に記載の方法。
【請求項７】
端末デバイスにおいて実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいて物理ダウンリンク制御チャネル（ＰＤＣＣＨ）候補のセットを決定すること
を行わせるように設定され、前記１つまたは複数のＣＯＲＥＳＥＴ  ＣＣＥ対ＲＥＧマッピング関係パラメータが固定されている、装置（５００）。
【請求項８】
前記１つまたは複数のメモリ（５２０）および前記コンピュータプログラムコードが、前記１つまたは複数のプロセッサ（５１０）とともに、前記装置（５００）に、請求項２から６のいずれか一項に記載の方法を実施させるように設定された、請求項７に記載の装置（５００）。
【請求項９】
端末デバイスにおいて実装される方法であって、前記方法は、
同期信号（ＳＳ）／物理ブロードキャストチャネル（ＰＢＣＨ）ブロックを検出することによって情報を取得すること（２０２）と、
前記ＳＳ／ＰＢＣＨブロックの前記検出中に取得された前記情報に基づいて１つまたは複数の制御リソースセット（ＣＯＲＥＳＥＴ）制御チャネルエレメント（ＣＣＥ）対リソースエレメントグループ（ＲＥＧ）マッピング関係パラメータを決定すること（２０４）であって、前記１つまたは複数のＣＯＲＥＳＥＴ  ＣＣＥ対ＲＥＧマッピング関係パラメータと前記取得された情報との間の対応が、前記端末デバイスと基地局（ＢＳ）との間であらかじめ規定される、１つまたは複数のＣＯＲＥＳＥＴ  ＣＣＥ対ＲＥＧマッピング関係パラメータを決定すること（２０４）と、
前記１つまたは複数のＣＯＲＥＳＥＴ  ＣＣＥ対ＲＥＧマッピング関係パラメータに基づいて物理ダウンリンク制御チャネル（ＰＤＣＣＨ）候補のセットを決定すること（２０６）と
を含む、方法。
【請求項１０】
前記取得された情報が、前記ＳＳ／ＰＢＣＨブロック中の１つまたは複数の未使用ビットを含む、請求項９に記載の方法。
【請求項１１】
前記ＳＳ／ＰＢＣＨブロック中の前記１つまたは複数の未使用ビットの数が１つであり、前記１つの未使用ビットは、ＣＣＥ対ＲＥＧマッピングタイプが非インターリーブとしてセットされることを指示する、または
前記ＳＳ／ＰＢＣＨブロック中の前記１つまたは複数の未使用ビットの数が１つであり、前記１つの未使用ビットは、ＣＣＥ対ＲＥＧマッピングタイプがインターリーブとしてセットされることを指示し、少なくとも１つのインターリービング関係パラメータが、固定され、前記端末デバイスと前記ＢＳとの間であらかじめ規定される、または
前記ＳＳ／ＰＢＣＨブロック中の前記１つまたは複数の未使用ビットの数が２つ以上であり、前記２つ以上の未使用ビットは、ＣＣＥ対ＲＥＧマッピングタイプがインターリーブとしてセットされることと、少なくとも１つのインターリービング関係パラメータとを指示する、
請求項１０に記載の方法。
【請求項１２】
前記ＳＳ／ＰＢＣＨブロック中の前記２つ以上の未使用ビットは、前記ＣＣＥ対ＲＥＧマッピングタイプがインターリーブとしてセットされることを指示する第１のビットと、前記少なくとも１つのインターリービング関係パラメータを指示する少なくとも１つの第２のビットとを含む、請求項１１に記載の方法。
【請求項１３】
前記取得された情報が、
同期信号ブロック（ＳＳＢ）サブキャリア間隔（ＳＣＳ）と、
残存最小システム情報（ＲＭＳＩ）のための、前記ＰＤＣＣＨのＳＣＳと、
前記ＳＳ／ＰＢＣＨブロック中のＲＭＳＩ設定の第１の４つのビットと、
前記ＳＳ／ＰＢＣＨブロック中のＲＭＳＩ設定の第２の４つのビットと、
前記ＳＳ／ＰＢＣＨブロック中のＲＭＳＩ設定の（１つまたは複数の）予約済みビットと、
ＳＳＢ／ＲＭＳＩ多重化タイプと
のうちの少なくとも１つを含む、請求項９に記載の方法。
【請求項１４】
端末デバイスにおいて実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
同期信号（ＳＳ）／物理ブロードキャストチャネル（ＰＢＣＨ）ブロックを検出することによって情報を取得することと、
前記ＳＳ／ＰＢＣＨブロックの前記検出中に取得された前記情報に基づいて１つまたは複数の制御リソースセット（ＣＯＲＥＳＥＴ）制御チャネルエレメント（ＣＣＥ）対リソースエレメントグループ（ＲＥＧ）マッピング関係パラメータを決定することであって、前記１つまたは複数のＣＯＲＥＳＥＴ  ＣＣＥ対ＲＥＧマッピング関係パラメータと前記取得された情報との間の対応が、前記端末デバイスと基地局（ＢＳ）との間であらかじめ規定される、１つまたは複数のＣＯＲＥＳＥＴ  ＣＣＥ対ＲＥＧマッピング関係パラメータを決定することと、
前記１つまたは複数のＣＯＲＥＳＥＴ  ＣＣＥ対ＲＥＧマッピング関係パラメータに基づいて物理ダウンリンク制御チャネル（ＰＤＣＣＨ）候補のセットを決定することと
を行わせるように設定された、装置（５００）。
【請求項１５】
前記１つまたは複数のメモリ（５２０）および前記コンピュータプログラムコードが、前記１つまたは複数のプロセッサ（５１０）とともに、前記装置（５００）に、請求項１０から１３のいずれか一項に記載の方法を実施させるように設定された、請求項１４に記載の装置（５００）。
【請求項１６】
基地局（ＢＳ）において実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること（３０２）
を含み、前記１つまたは複数のＣＯＲＥＳＥＴ  ＣＣＥ対ＲＥＧマッピング関係パラメータが固定されている、方法。
【請求項１７】
前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含む、請求項１６に記載の方法。
【請求項１８】
少なくとも１つのインターリービングパラメータは、インターリーバサイズが２、３または６であることを指示し、前記設定するステップ（３０２）が、前記指示されたインターリーバサイズをもつ固定インターリーバを使用して実施される、請求項１７に記載の方法。
【請求項１９】
前記ＣＯＲＥＳＥＴ  ＣＣＥが残存最小システム情報（ＲＭＳＩ）ＣＯＲＥＳＥＴ  ＣＣＥである、請求項１６から１８のいずれか一項に記載の方法。
【請求項２０】
前記１つまたは複数のＣＯＲＥＳＥＴ  ＣＣＥ対ＲＥＧマッピング関係パラメータが、前記ＢＳと端末デバイスとの間であらかじめ規定される、請求項１６から１９のいずれか一項に記載の方法。
【請求項２１】
前記１つまたは複数のＣＯＲＥＳＥＴ  ＣＣＥ対ＲＥＧマッピング関係パラメータの数が１つであり、前記１つのＣＯＲＥＳＥＴ  ＣＣＥ対ＲＥＧマッピング関係パラメータが、非インターリーブであるように固定されるＣＣＥ対ＲＥＧマッピングタイプである、請求項１６に記載の方法。
【請求項２２】
基地局（ＢＳ）において実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること
を行わせるように設定され、前記１つまたは複数のＣＯＲＥＳＥＴ  ＣＣＥ対ＲＥＧマッピング関係パラメータが固定されている、装置（５００）。
【請求項２３】
前記１つまたは複数のメモリ（５２０）および前記コンピュータプログラムコードが、前記１つまたは複数のプロセッサ（５１０）とともに、前記装置（５００）に、請求項１７から２１のいずれか一項に記載の方法を実施させるように設定された、請求項２２に記載の装置（５００）。
【請求項２４】
基地局（ＢＳ）において実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること（４０２）と、
同期信号（ＳＳ）／物理ブロードキャストチャネル（ＰＢＣＨ）ブロックを送信すること（４０４）と
を含み、前記ＳＳ／ＰＢＣＨブロックの前記送信中に使用された情報と前記１つまたは複数のＣＯＲＥＳＥＴ  ＣＣＥ対ＲＥＧマッピング関係パラメータとの間の対応が、前記ＢＳと端末デバイスとの間であらかじめ規定される、方法。
【請求項２５】
前記情報が、前記ＳＳ／ＰＢＣＨブロック中の１つまたは複数の未使用ビットを含む、請求項２４に記載の方法。
【請求項２６】
前記ＳＳ／ＰＢＣＨブロック中の前記１つまたは複数の未使用ビットの数が１つであり、前記ＳＳ／ＰＢＣＨブロック中の前記１つの未使用ビットは、ＣＣＥ対ＲＥＧマッピングタイプが非インターリーブとしてセットされることを指示する、または
前記ＳＳ／ＰＢＣＨブロック中の前記１つまたは複数の未使用ビットの数が１つであり、前記ＳＳ／ＰＢＣＨブロック中の前記１つの未使用ビットは、ＣＣＥ対ＲＥＧマッピングタイプがインターリーブとしてセットされることを指示し、少なくとも１つのインターリービング関係パラメータが、固定され、前記ＢＳと前記端末デバイスとの間であらかじめ規定される、または
前記ＳＳ／ＰＢＣＨブロック中の前記１つまたは複数の未使用ビットの数が２つ以上であり、前記２つ以上の未使用ビットは、ＣＣＥ対ＲＥＧマッピングタイプがインターリーブとしてセットされることと、少なくとも１つのインターリービング関係パラメータとを指示する、
請求項２５に記載の方法。
【請求項２７】
前記ＳＳ／ＰＢＣＨブロック中の前記２つ以上の未使用ビットは、前記ＣＣＥ対ＲＥＧマッピングタイプがインターリーブとしてセットされることを指示する第１のビットと、前記少なくとも１つのインターリービング関係パラメータを指示する少なくとも１つの第２のビットとを含む、請求項２６に記載の方法。
【請求項２８】
前記情報が、
同期信号ブロック（ＳＳＢ）サブキャリア間隔（ＳＣＳ）と、
残存最小システム情報（ＲＭＳＩ）のための、ＰＤＣＣＨのＳＣＳと、
前記ＳＳ／ＰＢＣＨブロック中のＲＭＳＩ設定の第１の４つのビットと、
前記ＳＳ／ＰＢＣＨブロック中のＲＭＳＩ設定の第２の４つのビットと、
前記ＳＳ／ＰＢＣＨブロック中のＲＭＳＩ設定の（１つまたは複数の）予約済みビットと、
ＳＳＢ／ＲＭＳＩ多重化タイプと
のうちの少なくとも１つを含む、請求項２４に記載の方法。
【請求項２９】
基地局（ＢＳ）において実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定することと、
同期信号（ＳＳ）／物理ブロードキャストチャネル（ＰＢＣＨ）ブロックを送信することと
を行わせるように設定され、前記ＳＳ／ＰＢＣＨブロックの前記送信中に使用された情報と前記１つまたは複数のＣＯＲＥＳＥＴ  ＣＣＥ対ＲＥＧマッピング関係パラメータとの間の対応が、前記ＢＳと端末デバイスとの間であらかじめ規定される、装置（５００）。
【請求項３０】
前記１つまたは複数のメモリ（５２０）および前記コンピュータプログラムコードが、前記１つまたは複数のプロセッサ（５１０）とともに、前記装置（５００）に、請求項２５から２８のいずれか一項に記載の方法を実施させるように設定された、請求項２９に記載の装置（５００）。
【請求項３１】
コンピュータとともに使用するためにその上に具現されたコンピュータプログラムコードを有するコンピュータ可読媒体であって、前記コンピュータプログラムコードが、請求項１から６のいずれか一項に記載の方法を実施するためのコードを含む、コンピュータ可読媒体。
【請求項３２】
コンピュータとともに使用するためにその上に具現されたコンピュータプログラムコードを有するコンピュータ可読媒体であって、前記コンピュータプログラムコードが、請求項９から１３のいずれか一項に記載の方法を実施するためのコードを含む、コンピュータ可読媒体。
【請求項３３】
コンピュータとともに使用するためにその上に具現されたコンピュータプログラムコードを有するコンピュータ可読媒体であって、前記コンピュータプログラムコードが、請求項１６から２１のいずれか一項に記載の方法を実施するためのコードを含む、コンピュータ可読媒体。
【請求項３４】
コンピュータとともに使用するためにその上に具現されたコンピュータプログラムコードを有するコンピュータ可読媒体であって、前記コンピュータプログラムコードが、請求項２４から２８のいずれか一項に記載の方法を実施するためのコードを含む、コンピュータ可読媒体。
【発明の詳細な説明】
【技術分野】
【０００１】
本開示の実施形態は、一般に無線通信に関し、より詳細には、制御リソースセット（ＣＯＲＥＳＥＴ）制御チャネルエレメント（ＣＣＥ）対リソースエレメントグループ（ＲＥＧ）マッピングのための端末デバイス、基地局（ＢＳ）および方法に関する。
【背景技術】
【０００２】
このセクションは、本開示のより良い理解を容易にし得る態様を紹介する。したがって、このセクションの記述は、この観点において読み取られるべきであり、従来技術にあるものまたは従来技術にないものに関する承認として理解されるべきでない。
【０００３】
ネットワークに接続するために、デバイスが、ネットワーク同期を捕捉し、マスタ情報ブロック（ＭＩＢ）中のシステム情報（ＳＩ）を含む不可欠なＳＩと、残存最小システム情報（ＲＭＳＩ：ｒｅｍａｉｎｉｎｇ  ｍｉｎｉｍｕｍ  ｓｙｓｔｅｍ  ｉｎｆｏｒｍａｔｉｏｎ）とを取得する必要がある。ネットワークに対してデバイスの周波数を調整するために、およびネットワークからの受信信号の適切なタイミングを見つけるために、同期信号が使用される。新しい無線（ＮＲ）システムでは、同期およびアクセスプロシージャは、以下で説明されるいくつかの信号を伴い得る。
【０００４】
１次同期信号（ＰＳＳ）が、数十ｐｐｍまでの高い初期周波数誤差の存在下でのネットワーク検出を可能にする。２次同期信号（ＳＳＳ）が、基本ネットワーク情報、たとえばセル識別情報（ＩＤ）を提供すると同時に、より正確な周波数調整およびチャネル推定を可能にする。物理ブロードキャストチャネル（ＰＢＣＨ）が、ランダムアクセスのための最小システム情報のサブセットと、ＲＭＳＩ中の残存最小システム情報をフェッチするための設定とを提供する。ＰＢＣＨは、たとえば、セルから送信されるビーム間でタイミングを分離するために、セル内のタイミング情報をも提供する。ＰＢＣＨに収まるべき情報の量は、サイズを低く抑えるために極めて限定される。さらに、復調用参照信号（ＤＭＲＳ）を適切に受信するために、ＤＭＲＳがＰＢＣＨリソースとインターリーブされる。
【０００５】
同期信号およびＰＢＣＨブロック（ＳＳ／ＰＢＣＨブロック、または短縮して、ＳＳＢ）は、上記の信号（ＰＳＳ、ＳＳＳおよびＰＢＣＨ  ＤＭＲＳ）と、ＰＢＣＨとを含む。ＳＳＢは、周波数範囲に応じて、１５ｋＨｚ、３０ｋＨｚ、１２０ｋＨｚまたは２４０ｋＨｚサブキャリア間隔（ＳＣＳ：ｓｕｂｃａｒｒｉｅｒ  ｓｐａｃｉｎｇ）を有し得る。ＰＢＣＨペイロードの内容は、以下の表１に示されているようなものである。
2021510955.tif 000003
【０００６】
ＲＭＳＩは、ＮＲでは、物理ダウンリンク制御チャネル（ＰＤＣＣＨ）によってスケジュールされた物理ダウンリンク共有チャネル（ＰＤＳＣＨ）中で搬送され、最小システム情報の残存サブセット、たとえば、実際に送信されたＳＳ／ＰＢＣＨブロックのビットマップを含んでいる。ＲＭＳＩは、１５ｋＨｚ、３０ｋＨｚ、６０ｋＨｚまたは１２０ｋＨｚ  ＳＣＳを有することができる。１つのＳＳ／ＰＢＣＨブロックを検出した後に、ＵＥが、ＰＢＣＨ中のＲＭＳＩ制御リソースセット（ＣＯＲＥＳＥＴ）設定に基づいて、残存システム情報を得るために、対応するＲＭＳＩを復号することを試みる。
【０００７】
ＲＭＳＩ  ＣＯＲＥＳＥＴは、周波数領域におけるリソースブロックの数（
2021510955.tif 000004
）と、時間領域における直交周波数分割多重（ＯＦＤＭ）シンボルの数（
2021510955.tif 000005
）とからなる。第３世代パートナーシッププロジェクト（３ＧＰＰ）技術仕様（ＴＳ）３８．２１３  Ｖ１５．０．０に基づいて、
2021510955.tif 000006
は、２４、４８または９６であり得、
2021510955.tif 000007
は、１つ、２つ、３つのＯＦＤＭシンボルであり得る。制御チャネルエレメント（ＣＣＥ）の数およびリソースエレメントグループ（ＲＥＧ）の数はＣＯＲＥＳＥＴ中で規定される。
【０００８】
ＣＣＥは、ＲＥＧが、１つのＯＦＤＭシンボル中の１つのリソースブロックに等しい場合、６つのＲＥＧからなる。ＣＯＲＥＳＥＴ内のＲＥＧは、時間優先様式で昇順に番号付けされ、第１のＯＦＤＭシンボルおよびＣＯＲＥＳＥＴ中で最も低い番号のリソースブロックの場合０で開始する。ＣＣＥ対ＲＥＧマッピングはインターリーブ様式または非インターリーブ様式のものであり得、これは、ＴＳ３８．２１１  Ｖ１５．０．０のセクション７．３．２．２に記載されている。
【発明の概要】
【０００９】
本発明の概要は、発明を実施するための形態において以下でさらに説明される概念の選択を簡略化された形で紹介するために提供される。本発明の概要は、請求される主題の主要な特徴または不可欠な特徴を識別するものではなく、請求される主題の範囲を限定するために使用されるものでもない。
【００１０】
本開示の目的のうちの１つは、ＣＯＲＥＳＥＴ  ＣＣＥ対ＲＥＧマッピングのためのソリューションを提供することである。
【００１１】
本開示の第１の態様によれば、端末デバイスにおいて実装される方法が提供される。本方法は、１つまたは複数のＣＯＲＥＳＥＴ  ＣＣＥ対ＲＥＧマッピング関係パラメータに基づいてＰＤＣＣＨ候補のセットを決定することを含む。１つまたは複数のＣＯＲＥＳＥＴ  ＣＣＥ対ＲＥＧマッピング関係パラメータは固定されている。
【００１２】
本開示の一実施形態では、１つまたは複数のＣＯＲＥＳＥＴ  ＣＣＥ対ＲＥＧマッピング関係パラメータの数が２つ以上であり、２つ以上のＣＯＲＥＳＥＴ  ＣＣＥ対ＲＥＧマッピング関係パラメータは、インターリーブであるように固定されるＣＣＥ対ＲＥＧマッピングタイプと、少なくとも１つのインターリービング関係パラメータとを含む。本開示の一実施形態では、少なくとも１つのインターリービングパラメータは、インターリーバサイズが２、３または６であることを指示し、決定するステップは、指示されたインターリーバサイズをもつ固定インターリーバを使用して実施される。
【００１３】
本開示の一実施形態では、ＣＯＲＥＳＥＴ  ＣＣＥはＲＭＳＩ  ＣＯＲＥＳＥＴ  ＣＣＥである。
【００１４】
本開示の一実施形態では、１つまたは複数のＣＯＲＥＳＥＴ  ＣＣＥ対ＲＥＧマッピング関係パラメータは、端末デバイスと基地局（ＢＳ）との間であらかじめ規定される。
【００１５】
本開示の一実施形態では、１つまたは複数のＣＯＲＥＳＥＴ  ＣＣＥ対ＲＥＧマッピング関係パラメータの数が１つであり、１つのＣＯＲＥＳＥＴ  ＣＣＥ対ＲＥＧマッピング関係パラメータは、非インターリーブであるように固定されるＣＣＥ対ＲＥＧマッピングタイプである。
【００１６】
このようにして、端末デバイスは、ＰＢＣＨ中で予約される特定のビットを使用することなしにＣＣＥ対ＲＥＧマッピングパターンを知ることができる。さらに、シグナリングのオーバーヘッドが低減され得る。
【００１７】
本開示の第２の態様によれば、端末デバイスにおいて実装される方法が提供される。本方法は、同期信号（ＳＳ）／物理ブロードキャストチャネル（ＰＢＣＨ）ブロックを検出することによって情報を取得することを含む。本方法は、ＳＳ／ＰＢＣＨブロックの検出中に取得された情報に基づいて１つまたは複数のＣＯＲＥＳＥＴ  ＣＣＥ対ＲＥＧマッピング関係パラメータを決定することをさらに含む。１つまたは複数のＣＯＲＥＳＥＴ  ＣＣＥ対ＲＥＧマッピング関係パラメータと取得された情報との間の対応が、端末デバイスとＢＳとの間であらかじめ規定される。本方法は、１つまたは複数のＣＯＲＥＳＥＴ  ＣＣＥ対ＲＥＧマッピング関係パラメータに基づいてＰＤＣＣＨ候補のセットを決定することをさらに含む。
【００１８】
本開示の一実施形態では、取得された情報は、ＳＳ／ＰＢＣＨブロック中の１つまたは複数の未使用ビットを含む。
【００１９】
本開示の一実施形態では、ＳＳ／ＰＢＣＨブロック中の１つまたは複数の未使用ビットの数が１つであり、１つの未使用ビットは、ＣＣＥ対ＲＥＧマッピングタイプが非インターリーブとしてセットされることを指示する。代替的に、ＳＳ／ＰＢＣＨブロック中の１つまたは複数の未使用ビットの数が１つであり、１つの未使用ビットは、ＣＣＥ対ＲＥＧマッピングタイプがインターリーブとしてセットされることを指示し、少なくとも１つのインターリービング関係パラメータが、固定され、端末デバイスとＢＳとの間であらかじめ規定される。代替的に、ＳＳ／ＰＢＣＨブロック中の１つまたは複数の未使用ビットの数が２つ以上であり、２つ以上の未使用ビットは、ＣＣＥ対ＲＥＧマッピングタイプがインターリーブとしてセットされることと、少なくとも１つのインターリービング関係パラメータとを指示する。
【００２０】
本開示の一実施形態では、ＳＳ／ＰＢＣＨブロック中の２つ以上の未使用ビットは、ＣＣＥ対ＲＥＧマッピングタイプがインターリーブとしてセットされることを指示する第１のビットと、少なくとも１つのインターリービング関係パラメータを指示する少なくとも１つの第２のビットとを含む。
【００２１】
本開示の一実施形態では、取得された情報は、同期信号ブロック（ＳＳＢ）ＳＣＳと、ＲＭＳＩのための、ＰＤＣＣＨのＳＣＳと、ＳＳ／ＰＢＣＨブロック中のＲＭＳＩ設定の第１の４つのビットと、ＳＳ／ＰＢＣＨブロック中のＲＭＳＩ設定の第２の４つのビットと、ＳＳ／ＰＢＣＨブロック中のＲＭＳＩ設定の（１つまたは複数の）予約済みビットと、ＳＳＢ／ＲＭＳＩ多重化タイプとのうちの少なくとも１つを含む。
【００２２】
このようにして、端末デバイスのための、ＰＤＣＣＨの監視が容易にされ得る。さらに、インターリービングパラメータのうちの少なくともいくつかが、設定可能であるか、またはＣＣＥ対ＲＥＧマッピングについての異なる場合において異なり得る。
【００２３】
本開示の第３の態様によれば、ＢＳにおいて実装される方法が提供される。本方法は、１つまたは複数のＣＯＲＥＳＥＴ  ＣＣＥ対ＲＥＧマッピング関係パラメータに基づいてＣＯＲＥＳＥＴ中でＣＣＥを設定することを含む。１つまたは複数のＣＯＲＥＳＥＴ  ＣＣＥ対ＲＥＧマッピング関係パラメータは固定されている。
【００２４】
本開示の一実施形態では、１つまたは複数のＣＯＲＥＳＥＴ  ＣＣＥ対ＲＥＧマッピング関係パラメータの数が２つ以上であり、２つ以上のＣＯＲＥＳＥＴ  ＣＣＥ対ＲＥＧマッピング関係パラメータは、インターリーブであるように固定されるＣＣＥ対ＲＥＧマッピングタイプと、少なくとも１つのインターリービング関係パラメータとを含む。
【００２５】
本開示の一実施形態では、少なくとも１つのインターリービングパラメータは、インターリーバサイズが２、３または６であることを指示し、設定するステップは、指示されたインターリーバサイズをもつ固定インターリーバを使用して実施される。
【００２６】
本開示の一実施形態では、ＣＯＲＥＳＥＴ  ＣＣＥはＲＭＳＩ  ＣＯＲＥＳＥＴ  ＣＣＥである。
【００２７】
本開示の一実施形態では、１つまたは複数のＣＯＲＥＳＥＴ  ＣＣＥ対ＲＥＧマッピング関係パラメータは、ＢＳと端末デバイスとの間であらかじめ規定される。
【００２８】
本開示の一実施形態では、１つまたは複数のＣＯＲＥＳＥＴ  ＣＣＥ対ＲＥＧマッピング関係パラメータの数が１つであり、１つのＣＯＲＥＳＥＴ  ＣＣＥ対ＲＥＧマッピング関係パラメータは、非インターリーブ固定されるＣＣＥ対ＲＥＧマッピングタイプである。
【００２９】
このようにして、基地局は、ＰＢＣＨ中で予約される特定のビットを使用する必要がない。さらに、シグナリングのオーバーヘッドが低減され得る。
【００３０】
本開示の第４の態様によれば、ＢＳにおいて実装される方法が提供される。本方法は、１つまたは複数のＣＯＲＥＳＥＴ  ＣＣＥ対ＲＥＧマッピング関係パラメータに基づいてＣＯＲＥＳＥＴ中でＣＣＥを設定することを含む。本方法は、ＳＳ／ＰＢＣＨブロックを送信することをさらに含む。ＳＳ／ＰＢＣＨブロックの送信中に使用された情報と１つまたは複数のＣＯＲＥＳＥＴ  ＣＣＥ対ＲＥＧマッピング関係パラメータとの間の対応が、ＢＳと端末デバイスとの間であらかじめ規定される。
【００３１】
本開示の一実施形態では、情報は、ＳＳ／ＰＢＣＨブロック中の１つまたは複数の未使用ビットを含む。
【００３２】
本開示の一実施形態では、ＳＳ／ＰＢＣＨブロック中の１つまたは複数の未使用ビットの数が１つであり、ＳＳ／ＰＢＣＨブロック中の１つの未使用ビットは、ＣＣＥ対ＲＥＧマッピングタイプが非インターリーブとしてセットされることを指示する。代替的に、ＳＳ／ＰＢＣＨブロック中の１つまたは複数の未使用ビットの数が１つであり、ＳＳ／ＰＢＣＨブロック中の１つの未使用ビットは、ＣＣＥ対ＲＥＧマッピングタイプがインターリーブとしてセットされることを指示し、少なくとも１つのインターリービング関係パラメータが、固定され、ＢＳと端末デバイスとの間であらかじめ規定される。代替的に、ＳＳ／ＰＢＣＨブロック中の１つまたは複数の未使用ビットの数が２つ以上であり、２つ以上の未使用ビットは、ＣＣＥ対ＲＥＧマッピングタイプがインターリーブとしてセットされることと、少なくとも１つのインターリービング関係パラメータとを指示する。
【００３３】
本開示の一実施形態では、ＳＳ／ＰＢＣＨブロック中の２つ以上の未使用ビットは、ＣＣＥ対ＲＥＧマッピングタイプがインターリーブとしてセットされることを指示する第１のビットと、少なくとも１つのインターリービング関係パラメータを指示する少なくとも１つの第２のビットとを含む。
【００３４】
本開示の一実施形態では、情報は、ＳＳＢ  ＳＣＳと、ＲＭＳＩのための、ＰＤＣＣＨのＳＣＳと、ＳＳ／ＰＢＣＨブロック中のＲＭＳＩ設定の第１の４つのビットと、ＳＳ／ＰＢＣＨブロック中のＲＭＳＩ設定の第２の４つのビットと、ＳＳ／ＰＢＣＨブロック中のＲＭＳＩ設定の（１つまたは複数の）予約済みビットと、ＳＳＢ／ＲＭＳＩ多重化タイプとのうちの少なくとも１つを含む。
【００３５】
このようにして、基地局は、端末デバイスのための、ＰＤＣＣＨの監視を容易にすることができる。さらに、インターリービングパラメータのうちの少なくともいくつかが、設定可能であるか、またはＣＣＥ対ＲＥＧマッピングについての異なる場合において異なり得る。
【００３６】
本開示の第５の態様によれば、端末デバイスにおいて実装される装置が提供される。本装置は、１つまたは複数のプロセッサと、コンピュータプログラムコードを備える１つまたは複数のメモリとを備える。１つまたは複数のメモリおよびコンピュータプログラムコードは、１つまたは複数のプロセッサとともに、本装置に、少なくとも、１つまたは複数のＣＯＲＥＳＥＴ  ＣＣＥ対ＲＥＧマッピング関係パラメータに基づいてＰＤＣＣＨ候補のセットを決定させるように設定される。１つまたは複数のＣＯＲＥＳＥＴ  ＣＣＥ対ＲＥＧマッピング関係パラメータは固定されている。
【００３７】
本開示の一実施形態では、１つまたは複数のメモリおよびコンピュータプログラムコードは、１つまたは複数のプロセッサとともに、本装置に、上記の第１の態様による方法を実施させるように設定される。
【００３８】
本開示の第６の態様によれば、端末デバイスにおいて実装される装置が提供される。本装置は、１つまたは複数のプロセッサと、コンピュータプログラムコードを備える１つまたは複数のメモリとを備える。１つまたは複数のメモリおよびコンピュータプログラムコードは、１つまたは複数のプロセッサとともに、本装置に、少なくとも、ＳＳ／ＰＢＣＨブロックを検出することによって情報を取得させるように設定される。本装置はさらに、ＳＳ／ＰＢＣＨブロックの検出中に取得された情報に基づいて１つまたは複数のＣＯＲＥＳＥＴ  ＣＣＥ対ＲＥＧマッピング関係パラメータを決定させられる。１つまたは複数のＣＯＲＥＳＥＴ  ＣＣＥ対ＲＥＧマッピング関係パラメータと取得された情報との間の対応が、端末デバイスとＢＳとの間であらかじめ規定される。本装置はさらに、１つまたは複数のＣＯＲＥＳＥＴ  ＣＣＥ対ＲＥＧマッピング関係パラメータに基づいてＰＤＣＣＨ候補のセットを決定させられる。
【００３９】
本開示の一実施形態では、１つまたは複数のメモリおよびコンピュータプログラムコードは、１つまたは複数のプロセッサとともに、本装置に、上記の第２の態様による方法を実施させるように設定される。
【００４０】
本開示の第７の態様によれば、ＢＳにおいて実装される装置が提供される。本装置は、１つまたは複数のプロセッサと、コンピュータプログラムコードを備える１つまたは複数のメモリとを備える。１つまたは複数のメモリおよびコンピュータプログラムコードは、１つまたは複数のプロセッサとともに、本装置に、少なくとも、１つまたは複数のＣＯＲＥＳＥＴ  ＣＣＥ対ＲＥＧマッピング関係パラメータに基づいてＣＯＲＥＳＥＴ中でＣＣＥを設定させるように設定される。１つまたは複数のＣＯＲＥＳＥＴ  ＣＣＥ対ＲＥＧマッピング関係パラメータは固定されている。
【００４１】
本開示の一実施形態では、１つまたは複数のメモリおよびコンピュータプログラムコードは、１つまたは複数のプロセッサとともに、本装置に、上記の第３の態様による方法を実施させるように設定される。
【００４２】
本開示の第８の態様によれば、ＢＳにおいて実装される装置が提供される。本装置は、１つまたは複数のプロセッサと、コンピュータプログラムコードを備える１つまたは複数のメモリとを備える。１つまたは複数のメモリおよびコンピュータプログラムコードは、１つまたは複数のプロセッサとともに、本装置に、少なくとも、１つまたは複数のＣＯＲＥＳＥＴ  ＣＣＥ対ＲＥＧマッピング関係パラメータに基づいてＣＯＲＥＳＥＴ中でＣＣＥを設定させるように設定される。本装置はさらに、ＳＳ／ＰＢＣＨブロックを送信させられる。ＳＳ／ＰＢＣＨブロックの送信中に使用された情報と１つまたは複数のＣＯＲＥＳＥＴ  ＣＣＥ対ＲＥＧマッピング関係パラメータとの間の対応が、ＢＳと端末デバイスとの間であらかじめ規定される。
【００４３】
本開示の一実施形態では、１つまたは複数のメモリおよびコンピュータプログラムコードは、１つまたは複数のプロセッサとともに、本装置に、上記の第４の態様による方法を実施させるように設定される。
【００４４】
本開示の第９の態様によれば、コンピュータプログラム製品が提供される。本コンピュータプログラム製品は、少なくとも１つのプロセッサによって実行されたとき、少なくとも１つのプロセッサに、上記の第１から第４の態様のいずれかによる方法を実施させる命令を備える。
【００４５】
本開示の第１０の態様によれば、コンピュータとともに使用するためにその上に具現されたコンピュータプログラムコードを有するコンピュータ可読媒体が提供され、コンピュータプログラムコードは、上記の第１から第４の態様のいずれかによる方法を実施するためのコードを含む。
【００４６】
本開示の第１１の態様によれば、端末デバイスにおいて実装される装置が提供される。本装置は、１つまたは複数のＣＯＲＥＳＥＴ  ＣＣＥ対ＲＥＧマッピング関係パラメータに基づいてＰＤＣＣＨ候補のセットを決定するための決定モジュールを備える。１つまたは複数のＣＯＲＥＳＥＴ  ＣＣＥ対ＲＥＧマッピング関係パラメータは固定されている。
【００４７】
本開示の第１２の態様によれば、端末デバイスにおいて実装される装置が提供される。本装置は、ＳＳ／ＰＢＣＨブロックを検出することによって情報を取得するための取得モジュールを備える。本装置は、ＳＳ／ＰＢＣＨブロックの検出中に取得された情報に基づいて１つまたは複数のＣＯＲＥＳＥＴ  ＣＣＥ対ＲＥＧマッピング関係パラメータを決定するための第１の決定モジュールをさらに備える。１つまたは複数のＣＯＲＥＳＥＴ  ＣＣＥ対ＲＥＧマッピング関係パラメータと取得された情報との間の対応が、端末デバイスとＢＳとの間であらかじめ規定される。本装置は、１つまたは複数のＣＯＲＥＳＥＴ  ＣＣＥ対ＲＥＧマッピング関係パラメータに基づいてＰＤＣＣＨ候補のセットを決定するための第２の決定モジュールをさらに備える。
【００４８】
本開示の第１３の態様によれば、ＢＳにおいて実装される装置が提供される。本装置は、１つまたは複数のＣＯＲＥＳＥＴ  ＣＣＥ対ＲＥＧマッピング関係パラメータに基づいてＣＯＲＥＳＥＴ中でＣＣＥを設定するための設定モジュールを備える。１つまたは複数のＣＯＲＥＳＥＴ  ＣＣＥ対ＲＥＧマッピング関係パラメータは固定されている。
【００４９】
本開示の第１４の態様によれば、ＢＳにおいて実装される装置が提供される。本装置は、１つまたは複数のＣＯＲＥＳＥＴ  ＣＣＥ対ＲＥＧマッピング関係パラメータに基づいてＣＯＲＥＳＥＴ中でＣＣＥを設定するための設定モジュールを備える。本装置は、ＳＳ／ＰＢＣＨブロックを送信するための送信モジュールをさらに備える。ＳＳ／ＰＢＣＨブロックの送信中に使用された情報と１つまたは複数のＣＯＲＥＳＥＴ  ＣＣＥ対ＲＥＧマッピング関係パラメータとの間の対応が、ＢＳと端末デバイスとの間であらかじめ規定される。
【００５０】
本開示の第１５の態様によれば、ホストコンピュータと、基地局と、端末デバイスとを含む通信システムにおいて実装される方法が提供される。本方法は、ホストコンピュータにおいて、ユーザデータを提供することを含む。本方法は、ホストコンピュータにおいて、基地局を備えるセルラーネットワークを介して端末デバイスにユーザデータを搬送する送信を始動することをさらに含む。端末デバイスは、１つまたは複数のＣＯＲＥＳＥＴ  ＣＣＥ対ＲＥＧマッピング関係パラメータに基づいてＰＤＣＣＨ候補のセットを決定する。１つまたは複数のＣＯＲＥＳＥＴ  ＣＣＥ対ＲＥＧマッピング関係パラメータは固定されている。
【００５１】
本開示の一実施形態では、本方法は、端末デバイスにおいて、基地局からユーザデータを受信することをさらに含む。
【００５２】
本開示の第１６の態様によれば、ホストコンピュータを含む通信システムが提供される。ホストコンピュータは、ユーザデータを提供するように設定された処理回路要素と、端末デバイスへの送信のためにユーザデータをセルラーネットワークにフォワーディングするように設定された通信インターフェースとを備える。端末デバイスは、無線インターフェースと処理回路要素とを備える。端末デバイスの処理回路要素は、１つまたは複数のＣＯＲＥＳＥＴ  ＣＣＥ対ＲＥＧマッピング関係パラメータに基づいてＰＤＣＣＨ候補のセットを決定するように設定される。１つまたは複数のＣＯＲＥＳＥＴ  ＣＣＥ対ＲＥＧマッピング関係パラメータは固定されている。
【００５３】
本開示の一実施形態では、本通信システムは端末デバイスをさらに含む。
【００５４】
本開示の一実施形態では、セルラーネットワークは、端末デバイスと通信するように設定された基地局をさらに含む。
【００５５】
本開示の一実施形態では、ホストコンピュータの処理回路要素は、ホストアプリケーションを実行し、それによりユーザデータを提供するように設定される。端末デバイスの処理回路要素は、ホストアプリケーションに関連するクライアントアプリケーションを実行するように設定される。
【００５６】
本開示の第１７の態様によれば、ホストコンピュータと、基地局と、端末デバイスとを含む通信システムにおいて実装される方法が提供される。本方法は、ホストコンピュータにおいて、ユーザデータを提供することを含む。本方法は、ホストコンピュータにおいて、基地局を備えるセルラーネットワークを介して端末デバイスにユーザデータを搬送する送信を始動することをさらに含む。基地局は、１つまたは複数のＣＯＲＥＳＥＴ  ＣＣＥ対ＲＥＧマッピング関係パラメータに基づいてＣＯＲＥＳＥＴ中でＣＣＥを設定する。１つまたは複数のＣＯＲＥＳＥＴ  ＣＣＥ対ＲＥＧマッピング関係パラメータは固定される。
【００５７】
本開示の一実施形態では、本方法は、基地局において、ユーザデータを送信することをさらに含む。
【００５８】
本開示の一実施形態では、ユーザデータは、ホストコンピュータにおいて、ホストアプリケーションを実行することによって提供される。本方法は、端末デバイスにおいて、ホストアプリケーションに関連するクライアントアプリケーションを実行することをさらに含む。
【００５９】
本開示の第１８の態様によれば、ホストコンピュータを含む通信システムが提供される。ホストコンピュータは、ユーザデータを提供するように設定された処理回路要素と、端末デバイスへの送信のためにユーザデータをセルラーネットワークにフォワーディングするように設定された通信インターフェースとを備える。セルラーネットワークは、無線インターフェースと処理回路要素とを有する基地局を備える。基地局の処理回路要素は、１つまたは複数のＣＯＲＥＳＥＴ  ＣＣＥ対ＲＥＧマッピング関係パラメータに基づいてＣＯＲＥＳＥＴ中でＣＣＥを設定するように設定される。１つまたは複数のＣＯＲＥＳＥＴ  ＣＣＥ対ＲＥＧマッピング関係パラメータは固定されている。
【００６０】
本開示の一実施形態では、本通信システムは基地局をさらに含む。
【００６１】
本開示の一実施形態では、本通信システムは端末デバイスをさらに含む。端末デバイスは、基地局と通信するように設定される。
【００６２】
本開示の一実施形態では、ホストコンピュータの処理回路要素は、ホストアプリケーションを実行し、それによりユーザデータを提供するように設定される。端末デバイスは、ホストアプリケーションに関連するクライアントアプリケーションを実行するように設定された処理回路要素を備える。
【００６３】
本開示の第１９の態様によれば、ホストコンピュータと、基地局と、端末デバイスとを含む通信システムにおいて実装される方法が提供される。本方法は、ホストコンピュータにおいて、ユーザデータを提供することを含む。本方法は、ホストコンピュータにおいて、基地局を備えるセルラーネットワークを介して端末デバイスにユーザデータを搬送する送信を始動することをさらに含む。端末デバイスは、ＳＳ／ＰＢＣＨブロックを検出することによって情報を取得する。端末デバイスは、ＳＳ／ＰＢＣＨブロックの検出中に取得された情報に基づいて１つまたは複数のＣＯＲＥＳＥＴ  ＣＣＥ対ＲＥＧマッピング関係パラメータを決定する。１つまたは複数のＣＯＲＥＳＥＴ  ＣＣＥ対ＲＥＧマッピング関係パラメータと取得された情報との間の対応が、端末デバイスと基地局との間であらかじめ規定される。端末デバイスは、１つまたは複数のＣＯＲＥＳＥＴ  ＣＣＥ対ＲＥＧマッピング関係パラメータに基づいてＰＤＣＣＨ候補のセットを決定する。
【００６４】
本開示の一実施形態では、本方法は、端末デバイスにおいて、基地局からユーザデータを受信することをさらに含む。
【００６５】
本開示の第２０の態様によれば、ホストコンピュータを含む通信システムが提供される。ホストコンピュータは、ユーザデータを提供するように設定された処理回路要素と、端末デバイスへの送信のためにユーザデータをセルラーネットワークにフォワーディングするように設定された通信インターフェースとを備える。端末デバイスは、無線インターフェースと処理回路要素とを備える。端末デバイスの処理回路要素は、ＳＳ／ＰＢＣＨブロックを検出することによって情報を取得するように設定される。端末デバイスの処理回路要素は、ＳＳ／ＰＢＣＨブロックの検出中に取得された情報に基づいて１つまたは複数のＣＯＲＥＳＥＴ  ＣＣＥ対ＲＥＧマッピング関係パラメータを決定するようにさらに設定される。１つまたは複数のＣＯＲＥＳＥＴ  ＣＣＥ対ＲＥＧマッピング関係パラメータと取得された情報との間の対応が、端末デバイスと基地局との間であらかじめ規定される。端末デバイスの処理回路要素は、１つまたは複数のＣＯＲＥＳＥＴ  ＣＣＥ対ＲＥＧマッピング関係パラメータに基づいてＰＤＣＣＨ候補のセットを決定するようにさらに設定される。
【００６６】
本開示の一実施形態では、本通信システムは端末デバイスをさらに含む。
【００６７】
本開示の一実施形態では、セルラーネットワークは、端末デバイスと通信するように設定された基地局をさらに含む。
【００６８】
本開示の一実施形態では、ホストコンピュータの処理回路要素は、ホストアプリケーションを実行し、それによりユーザデータを提供するように設定される。端末デバイスの処理回路要素は、ホストアプリケーションに関連するクライアントアプリケーションを実行するように設定される。
【００６９】
本開示の第２１の態様によれば、ホストコンピュータと、基地局と、端末デバイスとを含む通信システムにおいて実装される方法が提供される。本方法は、ホストコンピュータにおいて、ユーザデータを提供することを含む。本方法は、ホストコンピュータにおいて、基地局を備えるセルラーネットワークを介して端末デバイスにユーザデータを搬送する送信を始動することをさらに含む。基地局は、１つまたは複数のＣＯＲＥＳＥＴ  ＣＣＥ対ＲＥＧマッピング関係パラメータに基づいてＣＯＲＥＳＥＴ中でＣＣＥを設定する。基地局は、ＳＳ／ＰＢＣＨブロックを送信する。ＳＳ／ＰＢＣＨブロックの送信中に使用された情報と１つまたは複数のＣＯＲＥＳＥＴ  ＣＣＥ対ＲＥＧマッピング関係パラメータとの間の対応が、基地局と端末デバイスとの間であらかじめ規定される。
【００７０】
本開示の一実施形態では、本方法は、基地局において、ユーザデータを送信することをさらに含む。
【００７１】
本開示の一実施形態では、ユーザデータは、ホストコンピュータにおいて、ホストアプリケーションを実行することによって提供される。本方法は、端末デバイスにおいて、ホストアプリケーションに関連するクライアントアプリケーションを実行することをさらに含む。
【００７２】
本開示の第２２の態様によれば、ホストコンピュータを含む通信システムが提供される。ホストコンピュータは、ユーザデータを提供するように設定された処理回路要素と、端末デバイスへの送信のためにユーザデータをセルラーネットワークにフォワーディングするように設定された通信インターフェースとを備える。セルラーネットワークは、無線インターフェースと処理回路要素とを有する基地局を備える。基地局の処理回路要素は、１つまたは複数のＣＯＲＥＳＥＴ  ＣＣＥ対ＲＥＧマッピング関係パラメータに基づいてＣＯＲＥＳＥＴ中でＣＣＥを設定するように設定される。基地局の処理回路要素は、ＳＳ／ＰＢＣＨブロックを送信するようにさらに設定される。ＳＳ／ＰＢＣＨブロックの送信中に使用された情報と１つまたは複数のＣＯＲＥＳＥＴ  ＣＣＥ対ＲＥＧマッピング関係パラメータとの間の対応が、基地局と端末デバイスとの間であらかじめ規定される。
【００７３】
本開示の一実施形態では、本通信システムは基地局をさらに含む。
【００７４】
本開示の一実施形態では、本通信システムは端末デバイスをさらに含む。端末デバイスは、基地局と通信するように設定される。
【００７５】
本開示の一実施形態では、ホストコンピュータの処理回路要素は、ホストアプリケーションを実行し、それによりユーザデータを提供するように設定される。端末デバイスは、ホストアプリケーションに関連するクライアントアプリケーションを実行するように設定された処理回路要素を備える。
【００７６】
本開示のこれらおよび他の目的、特徴および利点は、添付の図面とともに読み取られるべきである、本開示の例示的な実施形態の以下の詳細な説明から明らかになろう。
【図面の簡単な説明】
【００７７】
【図１】本開示の一実施形態による、端末デバイスにおいて実装される方法を示すフローチャートである。
【図２】本開示の別の実施形態による、端末デバイスにおいて実装される方法を示すフローチャートである。
【図３】本開示の一実施形態による、基地局において実装される方法を示すフローチャートである。
【図４】本開示の別の実施形態による、基地局において実装される方法を示すフローチャートである。
【図５】本開示のいくつかの実施形態を実施する際に使用するのに好適な装置を示すブロック図である。
【図６】本開示の一実施形態による、端末デバイスにおいて実装される装置を示すブロック図である。
【図７】本開示の一実施形態による、基地局において実装される装置を示すブロック図である。
【図８】本開示の別の実施形態による、端末デバイスにおいて実装される装置を示すブロック図である。
【図９】本開示の別の実施形態による、基地局において実装される装置を示すブロック図である。
【図１０】いくつかの実施形態による、中間ネットワークを介してホストコンピュータに接続された電気通信ネットワークを示す図である。
【図１１】いくつかの実施形態による、基地局を介してユーザ機器と通信するホストコンピュータを示す図である。
【図１２】いくつかの実施形態による、通信システムにおいて実装される方法を示すフローチャートである。
【図１３】いくつかの実施形態による、通信システムにおいて実装される方法を示すフローチャートである。
【図１４】いくつかの実施形態による、通信システムにおいて実装される方法を示すフローチャートである。
【図１５】いくつかの実施形態による、通信システムにおいて実装される方法を示すフローチャートである。
【発明を実施するための形態】
【００７８】
説明の目的で、以下の説明では、開示される実施形態の完全な理解を提供するために詳細が記載される。しかしながら、実施形態が、これらの具体的な詳細なしに、または等価な構成を用いて実装され得ることは、当業者には明らかである。
【００７９】
ＰＢＣＨペイロードは、２４ビット巡回冗長検査（ＣＲＣ）を含む５６ビットであり得、１つの予約済みビット（表１中の「予約済みビット」）のみがあり、これは、極めて費用がかかる。しかしながら、動的ＣＣＥ対ＲＥＧマッピング方法は、インターリーブまたは非インターリーブＣＣＥ対ＲＥＧマッピングのために３つ以上のビットを必要とし得る。たとえば、インターリーブＣＣＥ対ＲＥＧマッピングが使用される場合に、少なくとも２つのビット（タイプを「インターリーブ」として指示するための１つのビットと、インターリーバサイズなどの（１つまたは複数の）関係パラメータを指示するための他の１つのビットと）が必要とされ得る。
【００８０】
したがって、ＰＢＣＨ中に、ＲＭＳＩ  ＣＯＲＥＳＥＴのためのＣＣＥ対ＲＥＧマッピング関係パラメータを搬送するために予約される空きビットが必ずしもあるとは限らない。したがって、ＵＥが、ＣＣＥ対ＲＥＧマッピング方法の知識を常に有することができることを確実にするために、改善されたソリューションを提供することが望ましいであろう。
【００８１】
本開示は、ＣＯＲＥＳＥＴ  ＣＣＥ対ＲＥＧマッピングのための改善されたソリューションを提案する。これらのソリューションは、端末デバイスと基地局とを含む無線通信システムに適用され得る。端末デバイスは、無線アクセス通信リンクを通して基地局と通信することができる。基地局は、その基地局の通信サービスセル内にある端末デバイスに無線アクセス通信リンクを提供することができる。基地局は、たとえば、ＮＲにおけるｇＮＢであり得る。通信は、任意の好適な通信規格およびプロトコルに従って端末デバイスと基地局との間で実施され得ることに留意されたい。端末デバイスは、たとえば、デバイス、アクセス端末、ユーザ機器（ＵＥ）、移動局、モバイルユニット、加入者局などと呼ばれることもある。端末デバイスは、無線通信ネットワークにアクセスし、無線通信ネットワークからサービスを受信することができる、任意のエンドデバイスを指し得る。限定ではなく例として、端末デバイスは、ポータブルコンピュータ、デジタルカメラなどの画像キャプチャ端末デバイス、ゲーミング端末デバイス、音楽記憶および再生機具、モバイルフォン、セルラーフォン、スマートフォン、タブレット、ウェアラブルデバイス、携帯情報端末（ＰＤＡ）などを含み得る。
【００８２】
モノのインターネット（ＩｏＴ）シナリオでは、端末デバイスは、監視および／または測定を実施し、そのような監視および／または測定の結果を別の端末デバイスおよび／またはネットワーク機器に送信する、マシンまたは他のデバイスを表し得る。この場合、端末デバイスは、マシンツーマシン（Ｍ２Ｍ）デバイスであり得、Ｍ２Ｍデバイスは、３ＧＰＰコンテキストではマシン型通信（ＭＴＣ）デバイスと呼ばれることがある。そのようなマシンまたはデバイスの特定の例は、センサー、電力計などの計量デバイス、産業用機械類、バイク、車両、あるいは家庭用または個人用電気器具、たとえば、冷蔵庫、テレビジョン、時計などの個人用ウェアラブルなどを含み得る。
【００８３】
次に、ソリューションについて説明するためにいくつかの実施形態が説明される。第１の実施形態として、ＣＯＲＥＳＥＴ  ＣＣＥ対ＲＥＧマッピングタイプは１つのマッピングタイプに固定され、この固定マッピングタイプのための１つまたは複数の、特にすべての、必要とされるパラメータが固定されている。言い換えれば、ＣＯＲＥＳＥＴ  ＣＣＥ対ＲＥＧマッピングタイプは固定マッピングタイプにセットされ、この固定マッピングタイプのための１つまたは複数の、特にすべての、必要とされるパラメータが、対応する固定値にセットされる。ＣＣＥ対ＲＥＧマッピングタイプは、ＣＣＥとそのＣＣＥの対応するＲＥＧとの間のマッピングパターンを指し得、ＣＣＥ対ＲＥＧマッピングタイプは、「非インターリーブ」または「インターリーブ」としてセットされ得る。たとえば、ＣＯＲＥＳＥＴはＲＭＳＩ  ＣＯＲＥＳＥＴであり得る。オプションとして、ＣＯＲＥＳＥＴ  ＣＣＥ対ＲＥＧマッピングタイプは、非インターリーブであるように固定され得る。別のオプションとして、ＣＯＲＥＳＥＴ  ＣＣＥ対ＲＥＧマッピングタイプは、インターリーブであるように固定され得、ＣＯＲＥＳＥＴインターリーバサイズは、２または３または６であるようにハードコード化され得、すべてのタイプのＣＯＲＥＳＥＴのために実装される一般的なインターリーバが使用され得る。このようにして、ＵＥは、ＰＢＣＨ中で常に予約される特定のビットを使用することなしにＣＣＥ対ＲＥＧマッピングパターンを知ることができる。
【００８４】
第２の実施形態として、ＣＣＥ対ＲＥＧマッピング関係パラメータをシグナリングするために、いくつかのシナリオについて、ＰＢＣＨ中のある（１つまたは複数の）未使用ビットが使用され得る。たとえば、ＭＩＢ中の１つの予約済みビットは、その予約済みビットが、ＣＯＲＥＳＥＴ  ＣＣＥ対ＲＥＧタイプを指示するためにいくつかのシナリオ（たとえば、ＳＳＢのサブキャリア間隔がＲＭＳＩのサブキャリア間隔以上であるとき）において使用されないとき、使用され得る。非インターリービングが１つの予約済みビットによって指示された場合、ＣＣＥ対ＲＥＧマッピングのためのインターリービングがない。インターリービングが１つの予約済みビットによって指示された場合、第１の実施形態で説明されたように、１つの固定ＣＣＥ対ＲＥＧインターリービングが使用され得る。
【００８５】
第３の実施形態として、インターリービングパターンは、ＲＭＳＩ  ＣＯＲＥＳＥＴ設定（表１中の「ＲＭＳＩ設定」の８ビット）とともに何らかのやり方で含まれ得る。たとえば、いくつかのインターリービングパターンが規定され得、インターリービングパターンとＴＳ３８．２１３  Ｖ１５．０．０のセクション１３において規定されている表（１３−１〜１３−８）との間の１対１または１対多のマッピングが導入され得る。
【００８６】
以下で、ソリューションは、図１〜図５を参照しながらさらに説明される。図１は、本開示の一実施形態による、端末デバイスにおいて実装される方法を示すフローチャートである。ブロック１０２において、端末デバイスは、固定される１つまたは複数のＣＯＲＥＳＥＴ  ＣＣＥ対ＲＥＧマッピング関係パラメータに基づいてＰＤＣＣＨ候補のセットを決定する。このようにして、端末デバイスは、ＰＢＣＨ中で常に予約される特定のビットを使用することなしにＣＣＥ対ＲＥＧマッピングパターンを知ることができる。端末デバイスと基地局とを含む無線通信システムの観点から、固定される１つまたは複数のＣＯＲＥＳＥＴ  ＣＣＥ対ＲＥＧマッピング関係パラメータは、端末デバイスと基地局との間であらかじめ規定され得る。
【００８７】
第１のオプションとして、１つまたは複数のＣＯＲＥＳＥＴ  ＣＣＥ対ＲＥＧマッピング関係パラメータの数が２つ以上であり得る。２つ以上のＣＯＲＥＳＥＴ  ＣＣＥ対ＲＥＧマッピング関係パラメータは、インターリーブであるように固定されるＣＣＥ対ＲＥＧマッピングタイプと、少なくとも１つのインターリービング関係パラメータとを含み得る。たとえば、少なくとも１つのインターリービングパラメータは、インターリーバサイズが２、３または６であることを指示し得、ブロック１０２における決定は、指示されたインターリーバサイズをもつ固定インターリーバを使用して実施され得る。
【００８８】
代替的に、第２のオプションとして、１つまたは複数のＣＯＲＥＳＥＴ  ＣＣＥ対ＲＥＧマッピング関係パラメータの数が１つであり得る。１つのＣＯＲＥＳＥＴ  ＣＣＥ対ＲＥＧマッピング関係パラメータは、非インターリーブであるように固定されるＣＣＥ対ＲＥＧマッピングタイプであり得る。
【００８９】
図２は、本開示の別の実施形態による、端末デバイスにおいて実装される方法を示すフローチャートである。ブロック２０２において、端末デバイスは、ＳＳ／ＰＢＣＨブロックを検出することによって情報を取得する。すなわち、取得された情報は、ＳＳ／ＰＢＣＨブロックの検出中に取得され得るような情報を指し得る。第１のオプションとして、取得された情報は、ＳＳ／ＰＢＣＨブロック（たとえばＰＢＣＨペイロード）中の１つまたは複数の未使用ビットを含み得る。第２のオプションとして、取得された情報は、同期信号ブロック（ＳＳＢ）ＳＣＳ、ＲＭＳＩのための、ＰＤＣＣＨのＳＣＳ、ＳＳ／ＰＢＣＨブロック中のＲＭＳＩ設定の第１の４つのビット、ＳＳ／ＰＢＣＨブロック中のＲＭＳＩ設定の第２の４つのビット、ＳＳ／ＰＢＣＨブロック中のＲＭＳＩ設定の（１つまたは複数の）予約済みビット、ＳＳＢ／ＲＭＳＩ多重化タイプなどのうちのいずれか１つまたは複数を含み得る。
【００９０】
ブロック２０４において、端末デバイスは、ＳＳ／ＰＢＣＨブロックの検出中に取得された情報に基づいて１つまたは複数のＣＯＲＥＳＥＴ  ＣＣＥ対ＲＥＧマッピング関係パラメータを決定する。１つまたは複数のＣＯＲＥＳＥＴ  ＣＣＥ対ＲＥＧマッピング関係パラメータと取得された情報との間の対応が、端末デバイスと基地局との間であらかじめ規定される。したがって、決定は、あらかじめ規定された対応に従って実施され得る。
【００９１】
上記の第１のオプションでは、３つの場合があり得る。第１の場合として、ＳＳ／ＰＢＣＨブロック中の１つまたは複数の未使用ビットの数が１つであり得、１つの未使用ビットは、ＣＣＥ対ＲＥＧマッピングタイプが非インターリーブとしてセットされることを指示し得る。第２の場合として、ＳＳ／ＰＢＣＨブロック中の１つまたは複数の未使用ビットの数が１つであり得、１つの未使用ビットは、ＣＣＥ対ＲＥＧマッピングタイプがインターリーブとしてセットされることを指示し得る。この場合、少なくとも１つのインターリービング関係パラメータは、固定され、端末デバイスと基地局との間であらかじめ規定され得る。第３の場合として、ＳＳ／ＰＢＣＨブロック中の１つまたは複数の未使用ビットの数が２つ以上であり得る。２つ以上の未使用ビットは、ＣＣＥ対ＲＥＧマッピングタイプがインターリーブとしてセットされることと、少なくとも１つのインターリービング関係パラメータとを指示し得る。たとえば、ＳＳ／ＰＢＣＨブロック中の２つ以上の未使用ビットは、ＣＣＥ対ＲＥＧマッピングタイプがインターリーブとしてセットされることを指示する第１のビットと、少なくとも１つのインターリービング関係パラメータを指示する少なくとも１つの第２のビットとを含み得る。
【００９２】
上記の第２のオプションでは、たとえば、ここで引用される、３ＧＰＰ  ＴＳ３８．２１３  Ｖ１５．０．０のセクション１３の第１パラグラフにおいて規定されているように、ＲＭＳＩ設定の第１の４つのビットは、表１３−１〜表１３−８中のエントリポイントに対応し、ＲＭＳＩ設定の第２の４つのビットは、表１３−９〜表１３−１３中のエントリポイントに対応する。たとえば、ＳＳＢ  ＳＣＳ、およびＲＭＳＩのための、ＰＤＣＣＨのＳＣＳが、表１３−１〜表１３−８および表１３−１１〜表１３−１３に関して述べられる。たとえば、ＳＳＢ／ＲＭＳＩ多重化タイプが、表１３−１〜表１３−１３に関して述べられる。１つまたは複数のＣＯＲＥＳＥＴ  ＣＣＥ対ＲＥＧマッピング関係パラメータと（ＳＳＢ  ＳＣＳ、ＲＭＳＩのための、ＰＤＣＣＨのＳＣＳ、ＲＭＳＩ設定の第１の４つのビット、ＲＭＳＩ設定の第２の４つのビット、ＲＭＳＩ設定の（１つまたは複数の）予約済みビット、およびＳＳＢ／ＲＭＳＩ多重化タイプなど）上記の情報のうちのいずれか１つまたは複数との間の対応が、端末デバイスと基地局との間であらかじめ規定され得る。例示的な例として、｛ＳＳＢ  ＳＣＳ，ＲＭＳＩのための、ＰＤＣＣＨのＳＣＳ｝の組合せが、異なる値（たとえば｛１５，１５｝ｋＨｚ、｛１５，３０｝ｋＨｚなど）をとるとき、これらの異なる値は、それぞれ、異なるＣＣＥ対ＲＥＧマッピングパターンに対応し得る。ブロック２０６において、端末デバイスは、１つまたは複数のＣＯＲＥＳＥＴ  ＣＣＥ対ＲＥＧマッピング関係パラメータに基づいてＰＤＣＣＨ候補のセットを決定する。
【００９３】
図３は、本開示の一実施形態による、基地局において実装される方法を示すフローチャートである。ブロック３０２において、基地局は、固定される１つまたは複数のＣＯＲＥＳＥＴ  ＣＣＥ対ＲＥＧマッピング関係パラメータに基づいてＣＯＲＥＳＥＴ中でＣＣＥを設定する。このようにして、基地局は、ＰＢＣＨ中で常に予約される特定のビットを使用する必要がない。基地局と端末デバイスとを含む無線通信システムの観点から、固定される１つまたは複数のＣＯＲＥＳＥＴ  ＣＣＥ対ＲＥＧマッピング関係パラメータは、基地局と端末デバイスとの間であらかじめ規定され得る。
【００９４】
第１のオプションとして、１つまたは複数のＣＯＲＥＳＥＴ  ＣＣＥ対ＲＥＧマッピング関係パラメータの数が２つ以上であり得る。２つ以上のＣＯＲＥＳＥＴ  ＣＣＥ対ＲＥＧマッピング関係パラメータは、インターリーブであるように固定されるＣＣＥ対ＲＥＧマッピングタイプと、少なくとも１つのインターリービング関係パラメータとを含み得る。たとえば、少なくとも１つのインターリービングパラメータは、インターリーバサイズが２、３または６であることを指示し得、ブロック３０２における設定は、指示されたインターリーバサイズをもつ固定インターリーバを使用して実施され得る。
【００９５】
代替的に、第２のオプションとして、１つまたは複数のＣＯＲＥＳＥＴ  ＣＣＥ対ＲＥＧマッピング関係パラメータの数が１つであり得る。１つのＣＯＲＥＳＥＴ  ＣＣＥ対ＲＥＧマッピング関係パラメータは、非インターリーブであるように固定されるＣＣＥ対ＲＥＧマッピングタイプであり得る。
【００９６】
図４は、本開示の別の実施形態による、基地局において実装される方法を示すフローチャートである。ブロック４０２において、基地局は、１つまたは複数のＣＯＲＥＳＥＴ  ＣＣＥ対ＲＥＧマッピング関係パラメータに基づいてＣＯＲＥＳＥＴ中でＣＣＥを設定する。ブロック４０４において、基地局は、ＳＳ／ＰＢＣＨブロックを送信する。ＳＳ／ＰＢＣＨブロックの送信中に使用された情報と１つまたは複数のＣＯＲＥＳＥＴ  ＣＣＥ対ＲＥＧマッピング関係パラメータとの間の対応が、基地局と端末デバイスとの間であらかじめ規定される。
【００９７】
使用された情報は、ＳＳ／ＰＢＣＨブロックの送信中に使用されたような情報を指し得る。第１のオプションとして、使用された情報は、ＳＳ／ＰＢＣＨブロック（たとえばＰＢＣＨペイロード）中の１つまたは複数の未使用ビットを含み得る。このオプションでは、３つの場合があり得る。第１の場合として、ＳＳ／ＰＢＣＨブロック中の１つまたは複数の未使用ビットの数が１つであり得、１つの未使用ビットは、ＣＣＥ対ＲＥＧマッピングタイプが非インターリーブとしてセットされることを指示し得る。第２の場合として、ＳＳ／ＰＢＣＨブロック中の１つまたは複数の未使用ビットの数が１つであり得、１つの未使用ビットは、ＣＣＥ対ＲＥＧマッピングタイプがインターリーブとしてセットされることを指示し得る。この場合、少なくとも１つのインターリービング関係パラメータは、固定され、基地局と端末デバイスとの間であらかじめ規定され得る。第３の場合として、ＳＳ／ＰＢＣＨブロック中の１つまたは複数の未使用ビットの数が２つ以上であり得る。２つ以上の未使用ビットは、ＣＣＥ対ＲＥＧマッピングタイプがインターリーブとしてセットされることと、少なくとも１つのインターリービング関係パラメータとを指示し得る。たとえば、ＳＳ／ＰＢＣＨブロック中の２つ以上の未使用ビットは、ＣＣＥ対ＲＥＧマッピングタイプがインターリーブとしてセットされることを指示する第１のビットと、少なくとも１つのインターリービング関係パラメータを指示する少なくとも１つの第２のビットとを含み得る。
【００９８】
第２のオプションとして、使用された情報は、ＳＳＢ  ＳＣＳ、ＲＭＳＩのための、ＰＤＣＣＨのＳＣＳ、ＳＳ／ＰＢＣＨブロック中のＲＭＳＩ設定の第１の４つのビット、ＳＳ／ＰＢＣＨブロック中のＲＭＳＩ設定の第２の４つのビット、ＳＳ／ＰＢＣＨブロック中のＲＭＳＩ設定の（１つまたは複数の）予約済みビット、ＳＳＢ／ＲＭＳＩ多重化タイプなどのうちのいずれか１つまたは複数を含み得る。ブロック２０４と同様に、１つまたは複数のＣＯＲＥＳＥＴ  ＣＣＥ対ＲＥＧマッピング関係パラメータと上記の情報のうちのいずれか１つまたは複数との間の対応が、基地局と端末デバイスとの間であらかじめ規定され得る。関与する機能性に応じて、図中で連続して示されている２つのブロックが、事実上、実質的にコンカレントに実行され得るか、またはブロックが、時々、逆の順序で実行され得ることに留意されたい。
【００９９】
図５は、本開示のいくつかの実施形態を実施する際に使用するのに好適な装置を示すブロック図である。たとえば、上記で説明された、端末デバイスとＢＳとのうちのいずれか１つの少なくとも一部が、装置５００を通して実装され得る。図示のように、装置５００は、プロセッサ５１０と、プログラムを記憶するメモリ５２０と、随意に、有線通信および／または無線通信を通して他の外部デバイスとデータを通信するための通信インターフェース５３０とを含み得る。
【０１００】
プログラムは、上記で説明されたように、プロセッサ５１０によって実行されたとき、装置５００が、本開示の実施形態に従って動作することを可能にする、プログラム命令を含む。すなわち、本開示の実施形態は、プロセッサ５１０によって実行可能なコンピュータソフトウェアによって、またはハードウェアによって、またはソフトウェアとハードウェアとの組合せによって、少なくとも部分的に実装され得る。
【０１０１】
メモリ５２０は、ローカル技術環境に好適な任意のタイプのものであり得、半導体ベースメモリデバイス、フラッシュメモリ、磁気メモリデバイスおよびシステム、光メモリデバイスおよびシステム、固定メモリおよびリムーバブルメモリなど、任意の好適なデータ記憶技術を使用して実装され得る。プロセッサ５１０は、ローカル技術環境に好適な任意のタイプのものであり得、非限定的な例として、汎用コンピュータ、専用コンピュータ、マイクロプロセッサ、デジタル信号プロセッサ（ＤＳＰ）およびマルチコアプロセッサアーキテクチャに基づくプロセッサのうちの１つまたは複数を含み得る。
【０１０２】
図６は、本開示の一実施形態による、端末デバイスにおいて実装される装置を示すブロック図である。図示のように、端末デバイスにおいて実装される装置６００は決定モジュール６０２を備え得る。決定モジュール６０２は、１つまたは複数のＣＯＲＥＳＥＴ  ＣＣＥ対ＲＥＧマッピング関係パラメータに基づいてＰＤＣＣＨ候補のセットを決定するように設定され得る。１つまたは複数のＣＯＲＥＳＥＴ  ＣＣＥ対ＲＥＧマッピング関係パラメータは固定される。
【０１０３】
図７は、本開示の一実施形態による、基地局において実装される装置を示すブロック図である。図示のように、基地局において実装される装置７００は設定モジュール７０２を備え得る。設定モジュール７０２は、１つまたは複数のＣＯＲＥＳＥＴ  ＣＣＥ対ＲＥＧマッピング関係パラメータに基づいてＣＯＲＥＳＥＴ中でＣＣＥを設定するように設定され得る。１つまたは複数のＣＯＲＥＳＥＴ  ＣＣＥ対ＲＥＧマッピング関係パラメータは固定される。
【０１０４】
図８は、本開示の別の実施形態による、端末デバイスにおいて実装される装置を示すブロック図である。図示のように、端末デバイスにおいて実装される装置８００は、取得モジュール８０２と、第１の決定モジュール８０４と、第２の決定モジュール８０６とを備え得る。取得モジュール８０２は、ＳＳ／ＰＢＣＨブロックを検出することによって情報を取得するように設定され得る。第１の決定モジュール８０４は、ＳＳ／ＰＢＣＨブロックの検出中に取得された情報に基づいて１つまたは複数のＣＯＲＥＳＥＴ  ＣＣＥ対ＲＥＧマッピング関係パラメータを決定するように設定され得る。１つまたは複数のＣＯＲＥＳＥＴ  ＣＣＥ対ＲＥＧマッピング関係パラメータと取得された情報との間の対応が、端末デバイスと基地局との間であらかじめ規定される。第２の決定モジュール８０６は、１つまたは複数のＣＯＲＥＳＥＴ  ＣＣＥ対ＲＥＧマッピング関係パラメータに基づいてＰＤＣＣＨ候補のセットを決定するように設定され得る。
【０１０５】
図９は、本開示の別の実施形態による、基地局において実装される装置を示すブロック図である。図示のように、基地局において実装される装置９００は、設定モジュール９０２と送信モジュール９０４とを備え得る。設定モジュール９０２は、１つまたは複数のＣＯＲＥＳＥＴ  ＣＣＥ対ＲＥＧマッピング関係パラメータに基づいてＣＯＲＥＳＥＴ中でＣＣＥを設定するように設定され得る。送信モジュール９０４は、ＳＳ／ＰＢＣＨブロックを送信するように設定され得る。ＳＳ／ＰＢＣＨブロックの送信中に使用された情報と１つまたは複数のＣＯＲＥＳＥＴ  ＣＣＥ対ＲＥＧマッピング関係パラメータとの間の対応が、基地局と端末デバイスとの間であらかじめ規定される。上記で説明されたモジュールは、ハードウェア、またはソフトウェア、または両方の組合せによって実装され得る。
【０１０６】
図１０を参照すると、一実施形態によれば、通信システムが、無線アクセスネットワークなどのアクセスネットワーク３２１１とコアネットワーク３２１４とを備える、３ＧＰＰタイプセルラーネットワークなどの電気通信ネットワーク３２１０を含む。アクセスネットワーク３２１１は、ＮＢ、ｅＮＢ、ｇＮＢまたは他のタイプの無線アクセスポイントなど、複数の基地局３２１２ａ、３２１２ｂ、３２１２ｃを備え、各々が、対応するカバレッジエリア３２１３ａ、３２１３ｂ、３２１３ｃを規定する。各基地局３２１２ａ、３２１２ｂ、３２１２ｃは、有線接続または無線接続３２１５上でコアネットワーク３２１４に接続可能である。カバレッジエリア３２１３ｃ中に位置する第１のＵＥ３２９１が、対応する基地局３２１２ｃに無線で接続するか、または対応する基地局３２１２ｃによってページングされるように設定される。カバレッジエリア３２１３ａ中の第２のＵＥ３２９２が、対応する基地局３２１２ａに無線で接続可能である。この例では複数のＵＥ３２９１、３２９２が示されているが、開示される実施形態は、唯一のＵＥがカバレッジエリア中にある状況、または唯一のＵＥが、対応する基地局３２１２に接続している状況に等しく適用可能である。
【０１０７】
電気通信ネットワーク３２１０は、それ自体、ホストコンピュータ３２３０に接続され、ホストコンピュータ３２３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ３２３０は、サービスプロバイダの所有または制御下にあり得、あるいはサービスプロバイダによってまたはサービスプロバイダに代わって動作され得る。電気通信ネットワーク３２１０とホストコンピュータ３２３０との間の接続３２２１および３２２２は、コアネットワーク３２１４からホストコンピュータ３２３０に直接延び得るか、または随意の中間ネットワーク３２２０を介して進み得る。中間ネットワーク３２２０は、パブリックネットワーク、プライベートネットワーク、またはホストされたネットワークのうちの１つ、またはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【０１０８】
図１０の通信システムは全体として、接続されたＵＥ３２９１、３２９２とホストコンピュータ３２３０との間のコネクティビティを可能にする。コネクティビティは、オーバーザトップ（ＯＴＴ）接続３２５０として説明され得る。ホストコンピュータ３２３０および接続されたＵＥ３２９１、３２９２は、アクセスネットワーク３２１１、コアネットワーク３２１４、任意の中間ネットワーク３２２０、および考えられるさらなるインフラストラクチャ（図示せず）を媒介として使用して、ＯＴＴ接続３２５０を介して、データおよび／またはシグナリングを通信するように設定される。ＯＴＴ接続３２５０は、ＯＴＴ接続３２５０が通過する、参加する通信デバイスが、アップリンクおよびダウンリンク通信のルーティングに気づいていないという意味で、透過的であり得る。たとえば、基地局３２１２は、接続されたＵＥ３２９１にフォワーディング（たとえば、ハンドオーバ）されるべき、ホストコンピュータ３２３０から発生したデータを伴う着信ダウンリンク通信の過去のルーティングについて、通知されないことがあるかまたは通知される必要がない。同様に、基地局３２１２は、ＵＥ３２９１から発生してホストコンピュータ３２３０に向かう発信アップリンク通信の将来ルーティングに気づいている必要がない。
【０１０９】
次に、一実施形態による、先の段落で説明されたＵＥ、基地局およびホストコンピュータの例示的な実装形態が、図１１を参照しながら説明される。通信システム３３００では、ホストコンピュータ３３１０が、通信システム３３００の異なる通信デバイスのインターフェースとの有線接続または無線接続をセットアップおよび維持するように設定された通信インターフェース３３１６を含む、ハードウェア３３１５を備える。ホストコンピュータ３３１０は、記憶能力および／または処理能力を有し得る、処理回路要素３３１８をさらに備える。特に、処理回路要素３３１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ３３１０は、ホストコンピュータ３３１０に記憶されるかまたはホストコンピュータ３３１０によってアクセス可能であり、処理回路要素３３１８によって実行可能である、ソフトウェア３３１１をさらに備える。ソフトウェア３３１１は、ホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを提供するように動作可能であり得る。リモートユーザにサービスを提供する際に、ホストアプリケーション３３１２は、ＯＴＴ接続３３５０を使用して送信されるユーザデータを提供し得る。
【０１１０】
通信システム３３００は、電気通信システム中に提供される基地局３３２０をさらに含み、基地局３３２０は、基地局３３２０がホストコンピュータ３３１０およびＵＥ３３３０と通信することを可能にするハードウェア３３２５を備える。ハードウェア３３２５は、通信システム３３００の異なる通信デバイスのインターフェースとの有線接続または無線接続をセットアップおよび維持するための通信インターフェース３３２６、ならびに基地局３３２０によってサーブされるカバレッジエリア（図１１に図示せず）中に位置するＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように設定され得る。接続３３６０は直接であり得るか、あるいは、接続３３６０は、電気通信システムのコアネットワーク（図１１に図示せず）を、および／または電気通信システムの外部の１つまたは複数の中間ネットワークを通過し得る。図示の実施形態では、基地局３３２０のハードウェア３３２５は、処理回路要素３３２８をさらに含み、処理回路要素３３２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局３３２０は、内部的に記憶されるかまたは外部接続を介してアクセス可能なソフトウェア３３２１をさらに有する。
【０１１１】
通信システム３３００は、すでに言及されたＵＥ３３３０をさらに含む。ＵＥ３３３０のハードウェア３３３５は、ＵＥ３３３０が現在位置するカバレッジエリアをサーブする基地局との無線接続３３７０をセットアップおよび維持するように設定された、無線インターフェース３３３７を含み得る。ＵＥ３３３０のハードウェア３３３５は、処理回路要素３３３８をさらに含み、処理回路要素３３３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ３３３０は、ＵＥ３３３０に記憶されるかまたはＵＥ３３３０によってアクセス可能であり、処理回路要素３３３８によって実行可能である、ソフトウェア３３３１をさらに備える。ソフトウェア３３３１はクライアントアプリケーション３３３２を含む。クライアントアプリケーション３３３２は、ホストコンピュータ３３１０のサポートのもとに、ＵＥ３３３０を介して人間のまたは人間でないユーザにサービスを提供するように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを提供する際に、クライアントアプリケーション３３３２は、ホストアプリケーション３３１２から要求データを受信し、要求データに応答してユーザデータを提供し得る。ＯＴＴ接続３３５０は、要求データとユーザデータの両方を転送し得る。クライアントアプリケーション３３３２は、クライアントアプリケーション３３３２が提供するユーザデータを生成するためにユーザと対話し得る。
【０１１２】
図１１に示されているホストコンピュータ３３１０、基地局３３２０およびＵＥ３３３０は、それぞれ、図１０のホストコンピュータ３２３０、基地局３２１２ａ、３２１２ｂ、３２１２ｃのうちの１つ、およびＵＥ３２９１、３２９２のうちの１つと同様または同等であり得ることに留意されたい。つまり、これらのエンティティの内部の働きは、図１１に示されているようなものであり得、別個に、周囲のネットワークトポロジーは、図１０のものであり得る。
【０１１３】
図１１では、ＯＴＴ接続３３５０は、仲介デバイスとこれらのデバイスを介したメッセージの正確なルーティングとへの明示的言及なしに、基地局３３２０を介したホストコンピュータ３３１０とＵＥ３３３０との間の通信を示すために抽象的に描かれている。ネットワークインフラストラクチャが、ルーティングを決定し得、ＵＥ３３３０からまたはホストコンピュータ３３１０を動作させるサービスプロバイダから、またはその両方から隠すように設定され得る。ＯＴＴ接続３３５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１１４】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に提供されるＯＴＴサービスの性能を改善する。より正確には、これらの実施形態の教示は、レイテンシを改善し、それにより、低減されたユーザ待ち時間などの利益を提供し得る。
【０１１５】
１つまたは複数の実施形態が改善する、データレート、レイテンシおよび他のファクタを監視する目的での、測定プロシージャが提供され得る。測定結果の変動に応答して、ホストコンピュータ３３１０とＵＥ３３３０との間のＯＴＴ接続３３５０を再設定するための随意のネットワーク機能性がさらにあり得る。測定プロシージャおよび／またはＯＴＴ接続３３５０を再設定するためのネットワーク機能性は、ホストコンピュータ３３１０のソフトウェア３３１１およびハードウェア３３１５でまたはＵＥ３３３０のソフトウェア３３３１およびハードウェア３３３５で、またはその両方で実装され得る。実施形態では、ＯＴＴ接続３３５０が通過する通信デバイスにおいてまたはそれに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再設定は、メッセージフォーマット、再送信セッティング、好ましいルーティングなどを含み得、再設定は、基地局３３２０に影響を及ぼす必要がなく、再設定は、基地局３３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１および３３３１が、ソフトウェア３３１１および３３３１が伝搬時間、エラーなどを監視する間にＯＴＴ接続３３５０を使用して、メッセージ、特に空のまたは「ダミー」メッセージが送信されることを引き起こすことにおいて、実装され得る。
【０１１６】
図１２は、一実施形態による、通信システムにおいて実装される方法を示すフローチャートである。通信システムは、図１０および図１１を参照しながら説明されたものであり得る、ホストコンピュータ、基地局およびＵＥを含む。本開示の簡単のために、図１２への図面参照のみがこのセクションに含まれる。ステップ３４１０において、ホストコンピュータはユーザデータを提供する。ステップ３４１０の（随意であり得る）サブステップ３４１１において、ホストコンピュータは、ホストアプリケーションを実行することによって、ユーザデータを提供する。ステップ３４２０において、ホストコンピュータは、ＵＥにユーザデータを搬送する送信を始動する。（随意であり得る）ステップ３４３０において、基地局は、本開示全体にわたって説明される実施形態の教示に従って、ホストコンピュータが始動した送信において搬送されたユーザデータをＵＥに送信する。（また、随意であり得る）ステップ３４４０において、ＵＥは、ホストコンピュータによって実行されるホストアプリケーションに関連するクライアントアプリケーションを実行する。
【０１１７】
図１３は、一実施形態による、通信システムにおいて実装される方法を示すフローチャートである。通信システムは、図１０および図１１を参照しながら説明されたものであり得る、ホストコンピュータ、基地局およびＵＥを含む。本開示の簡単のために、図１３への図面参照のみがこのセクションに含まれる。本方法のステップ３５１０において、ホストコンピュータはユーザデータを提供する。随意のサブステップ（図示せず）において、ホストコンピュータは、ホストアプリケーションを実行することによって、ユーザデータを提供する。ステップ３５２０において、ホストコンピュータは、ＵＥにユーザデータを搬送する送信を始動する。送信は、本開示全体にわたって説明される実施形態の教示に従って、基地局を介して進み得る。（随意であり得る）ステップ３５３０において、ＵＥは、送信において搬送されたユーザデータを受信する。
【０１１８】
図１４は、一実施形態による、通信システムにおいて実装される方法を示すフローチャートである。通信システムは、図１０および図１１を参照しながら説明されたものであり得る、ホストコンピュータ、基地局およびＵＥを含む。本開示の簡単のために、図１４への図面参照のみがこのセクションに含まれる。（随意であり得る）ステップ３６１０において、ＵＥは、ホストコンピュータによって提供された入力データを受信する。追加または代替として、ステップ３６２０において、ＵＥはユーザデータを提供する。ステップ３６２０の（随意であり得る）サブステップ３６２１において、ＵＥは、クライアントアプリケーションを実行することによって、ユーザデータを提供する。ステップ３６１０の（随意であり得る）サブステップ３６１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ３６３０において、ホストコンピュータへのユーザデータの送信を始動する。本方法のステップ３６４０において、ホストコンピュータは、本開示全体にわたって説明される実施形態の教示に従って、ＵＥから送信されたユーザデータを受信する。
【０１１９】
図１５は、一実施形態による、通信システムにおいて実装される方法を示すフローチャートである。通信システムは、図１０および図１１を参照しながら説明されたものであり得る、ホストコンピュータ、基地局およびＵＥを含む。本開示の簡単のために、図１５への図面参照のみがこのセクションに含まれる。（随意であり得る）ステップ３７１０において、本開示全体にわたって説明される実施形態の教示に従って、基地局は、ＵＥからユーザデータを受信する。（随意であり得る）ステップ３７２０において、基地局は、ホストコンピュータへの、受信されたユーザデータの送信を始動する。（随意であり得る）ステップ３７３０において、ホストコンピュータは、基地局によって始動された送信において搬送されたユーザデータを受信する。
【０１２０】
概して、様々な例示的な実施形態は、ハードウェアまたは専用回路、ソフトウェア、論理あるいはそれらの任意の組合せで実装され得る。たとえば、いくつかの態様は、ハードウェアで実装され得、他の態様は、コントローラ、マイクロプロセッサまたは他のコンピューティングデバイスによって実行され得るファームウェアまたはソフトウェアで実装され得るが、本開示はそれに限定されない。本開示の例示的な実施形態の様々な態様は、ブロック図、フローチャートとして、または何らかの他の図式表現を使用して、例示および説明され得るが、本明細書で説明されるこれらのブロック、装置、システム、技法または方法は、非限定的な例として、ハードウェア、ソフトウェア、ファームウェア、専用回路または論理、汎用ハードウェアまたはコントローラまたは他のコンピューティングデバイス、あるいはそれらの何らかの組合せで実装され得ることを十分に理解されたい。
【０１２１】
したがって、本開示の例示的な実施形態の少なくともいくつかの態様が、集積回路チップおよびモジュールなど、様々な構成要素において実施され得ることを諒解されたい。したがって、本開示の例示的な実施形態は、集積回路として具現される装置において実現され得、ここで、集積回路は、本開示の例示的な実施形態に従って動作するように設定可能である、データプロセッサ、デジタル信号プロセッサ、ベースバンド回路要素および無線周波数回路要素のうちの少なくとも１つまたは複数を具現するための回路要素（ならびに場合によってはファームウェア）を備え得る。
【０１２２】
本開示の例示的な実施形態の少なくともいくつかの態様が、１つまたは複数のコンピュータまたは他のデバイスによって実行される、１つまたは複数のプログラムモジュールでなど、コンピュータ実行可能命令で具現され得ることを諒解されたい。概して、プログラムモジュールは、コンピュータまたは他のデバイス中のプロセッサによって実行されたとき、特定のタスクを実施するか、または特定の抽象データ型を実装する、ルーチン、プログラム、オブジェクト、構成要素、データ構造などを含む。コンピュータ実行可能命令は、ハードディスク、光ディスク、リムーバブル記憶媒体、固体メモリ、ＲＡＭなど、コンピュータ可読媒体に記憶され得る。当業者によって諒解されるように、プログラムモジュールの機能は、様々な実施形態において、必要に応じて、組み合わせられるかまたは分散され得る。さらに、機能は、集積回路、フィールドプログラマブルゲートアレイ（ＦＰＧＡ）など、ファームウェアまたはハードウェア等価物において全体的にまたは部分的に具現され得る。
【０１２３】
「一実施形態（ｏｎｅ  ｅｍｂｏｄｉｍｅｎｔ）」、「一実施形態（ａｎ  ｅｍｂｏｄｉｍｅｎｔ）」などへの本開示における言及は、説明される実施形態が、特定の特徴、構造、または特性を含み得ることを指示するが、あらゆる実施形態が、特定の特徴、構造、または特性を含むことは必要でない。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【０１２４】
様々なエレメントについて説明するために、「第１の」および「第２の」などの用語が本明細書で使用され得るが、これらのエレメントは、これらの用語によって限定されるべきでないことを理解されたい。これらの用語は、あるエレメントを別のエレメントと区別するために使用されるにすぎない。たとえば、本開示の範囲から逸脱することなく、第１のエレメントは第２のエレメントと呼ばれることがあり、同様に、第２のエレメントは第１のエレメントと呼ばれることがある。本明細書で使用される「および／または」という用語は、関連する列挙された用語のうちの１つまたは複数のいずれかのおよびすべての組合せを含む。
【０１２５】
本明細書で使用される専門用語は、特定の実施形態を説明するためのものにすぎず、本開示を限定するものではない。本明細書で使用される単数形「ａ」、「ａｎ」および「ｔｈｅ」は、文脈が別段に明確に指示しない限り、複数形をも含むものとする。本明細書で使用される「備える、含む（ｃｏｍｐｒｉｓｅｓ）」、「備える、含む（ｃｏｍｐｒｉｓｉｎｇ）」、「有する（ｈａｓ）」、「有する（ｈａｖｉｎｇ）」、「含む（ｉｎｃｌｕｄｅｓ）」および／または「含む（ｉｎｃｌｕｄｉｎｇ）」という用語は、述べられた特徴、エレメント、および／または構成要素の存在を指定するが、１つまたは複数の他の特徴、エレメント、構成要素および／またはそれらの組合せの存在または追加を排除しないことをさらに理解されよう。本明細書で使用される「接続する（ｃｏｎｎｅｃｔ）」、「接続する（ｃｏｎｎｅｃｔｓ）」、「接続する（ｃｏｎｎｅｃｔｉｎｇ）」および／または「接続された（ｃｏｎｎｅｃｔｅｄ）」という用語は、２つのエレメントの間の直接および／または間接的接続をカバーする。
【０１２６】
本開示は、明示的に本明細書で開示される特徴の任意の新規の特徴または組合せあるいはその任意の一般化のいずれかを含む。本開示の上記の例示的な実施形態への様々な修正および適応は、添付の図面とともに読まれるとき、上記の説明に鑑みて、当業者に明らかになり得る。しかしながら、任意のおよびすべての修正が、依然として、本開示の非限定的なおよび例示的な実施形態の範囲内に入る。
【図１】
2021510955.tif 000008
【図２】
2021510955.tif 000009
【図３】
2021510955.tif 000010
【図４】
2021510955.tif 000011
【図５】
2021510955.tif 000012
【図６】
2021510955.tif 000013
【図７】
2021510955.tif 000014
【図８】
2021510955.tif 000015
【図９】
2021510955.tif 000016
【図１０】
2021510955.tif 000017
【図１１】
2021510955.tif 000018
【図１２】
2021510955.tif 000019
【図１３】
2021510955.tif 000020
【図１４】
2021510955.tif 000021
【図１５】
2021510955.tif 000022
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
端末デバイスにおいて実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいて物理ダウンリンク制御チャネル（ＰＤＣＣＨ）候補のセットを決定すること（１０２）
を含み、前記１つまたは複数のＣＯＲＥＳＥＴ  ＣＣＥ対ＲＥＧマッピング関係パラメータが固定されており、前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含み、前記少なくとも１つのインターリービング関係パラメータは、インターリーバサイズが２であることを指示する、方法。
【請求項２】
前記決定すること（１０２）が、前記指示されたインターリーバサイズをもつ固定インターリーバを使用して実施される、請求項１に記載の方法。
【請求項３】
前記ＣＯＲＥＳＥＴ  ＣＣＥが残存最小システム情報（ＲＭＳＩ）ＣＯＲＥＳＥＴ  ＣＣＥである、請求項１または２に記載の方法。
【請求項４】
前記１つまたは複数のＣＯＲＥＳＥＴ  ＣＣＥ対ＲＥＧマッピング関係パラメータが、前記端末デバイスと基地局（ＢＳ）との間であらかじめ規定される、請求項１から３のいずれか一項に記載の方法。
【請求項５】
前記１つまたは複数のＣＯＲＥＳＥＴ  ＣＣＥ対ＲＥＧマッピング関係パラメータの数が１つであり、前記１つのＣＯＲＥＳＥＴ  ＣＣＥ対ＲＥＧマッピング関係パラメータが、非インターリーブであるように固定されるＣＣＥ対ＲＥＧマッピングタイプである、請求項１に記載の方法。
【請求項６】
端末デバイスにおいて実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいて物理ダウンリンク制御チャネル（ＰＤＣＣＨ）候補のセットを決定すること
を行わせるように設定され、前記１つまたは複数のＣＯＲＥＳＥＴ  ＣＣＥ対ＲＥＧマッピング関係パラメータが固定されており、前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含み、前記少なくとも１つのインターリービング関係パラメータは、インターリーバサイズが２であることを指示する、装置（５００）。
【請求項７】
前記１つまたは複数のメモリ（５２０）および前記コンピュータプログラムコードが、前記１つまたは複数のプロセッサ（５１０）とともに、前記装置（５００）に、請求項２から５のいずれか一項に記載の方法を実施させるように設定された、請求項６に記載の装置（５００）。
【請求項８】
端末デバイスにおいて実装される方法であって、前記方法が、
同期信号（ＳＳ）／物理ブロードキャストチャネル（ＰＢＣＨ）ブロックを検出することによって情報を取得すること（２０２）と、
前記ＳＳ／ＰＢＣＨブロックの前記検出中に取得された前記情報に基づいて１つまたは複数の制御リソースセット（ＣＯＲＥＳＥＴ）制御チャネルエレメント（ＣＣＥ）対リソースエレメントグループ（ＲＥＧ）マッピング関係パラメータを決定すること（２０４）であって、前記１つまたは複数のＣＯＲＥＳＥＴ  ＣＣＥ対ＲＥＧマッピング関係パラメータと前記取得された情報との間の対応が、前記端末デバイスと基地局（ＢＳ）との間であらかじめ規定される、１つまたは複数のＣＯＲＥＳＥＴ  ＣＣＥ対ＲＥＧマッピング関係パラメータを決定すること（２０４）と、
前記１つまたは複数のＣＯＲＥＳＥＴ  ＣＣＥ対ＲＥＧマッピング関係パラメータに基づいて物理ダウンリンク制御チャネル（ＰＤＣＣＨ）候補のセットを決定すること（２０６）と
を含む、方法。
【請求項９】
前記取得された情報が、前記ＳＳ／ＰＢＣＨブロック中の１つまたは複数の未使用ビットを含む、請求項８に記載の方法。
【請求項１０】
前記ＳＳ／ＰＢＣＨブロック中の前記１つまたは複数の未使用ビットの数が１つであり、前記１つの未使用ビットは、ＣＣＥ対ＲＥＧマッピングタイプが非インターリーブとしてセットされることを指示する、または
前記ＳＳ／ＰＢＣＨブロック中の前記１つまたは複数の未使用ビットの数が１つであり、前記１つの未使用ビットは、ＣＣＥ対ＲＥＧマッピングタイプがインターリーブとしてセットされることを指示し、少なくとも１つのインターリービング関係パラメータが、固定され、前記端末デバイスと前記ＢＳとの間であらかじめ規定される、または
前記ＳＳ／ＰＢＣＨブロック中の前記１つまたは複数の未使用ビットの数が２つ以上であり、前記２つ以上の未使用ビットは、ＣＣＥ対ＲＥＧマッピングタイプがインターリーブとしてセットされることと、少なくとも１つのインターリービング関係パラメータとを指示する、請求項９に記載の方法。
【請求項１１】
前記ＳＳ／ＰＢＣＨブロック中の前記２つ以上の未使用ビットは、前記ＣＣＥ対ＲＥＧマッピングタイプがインターリーブとしてセットされることを指示する第１のビットと、前記少なくとも１つのインターリービング関係パラメータを指示する少なくとも１つの第２のビットとを含む、請求項１０に記載の方法。
【請求項１２】
前記取得された情報が、
同期信号ブロック（ＳＳＢ）サブキャリア間隔（ＳＣＳ）と、
残存最小システム情報（ＲＭＳＩ）のための、前記ＰＤＣＣＨのＳＣＳと、
前記ＳＳ／ＰＢＣＨブロック中のＲＭＳＩ設定の第１の４つのビットと、
前記ＳＳ／ＰＢＣＨブロック中のＲＭＳＩ設定の第２の４つのビットと、
前記ＳＳ／ＰＢＣＨブロック中のＲＭＳＩ設定の（１つまたは複数の）予約済みビットと、
ＳＳＢ／ＲＭＳＩ多重化タイプと
のうちの少なくとも１つを含む、請求項８に記載の方法。
【請求項１３】
端末デバイスにおいて実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
同期信号（ＳＳ）／物理ブロードキャストチャネル（ＰＢＣＨ）ブロックを検出することによって情報を取得することと、
前記ＳＳ／ＰＢＣＨブロックの前記検出中に取得された前記情報に基づいて１つまたは複数の制御リソースセット（ＣＯＲＥＳＥＴ）制御チャネルエレメント（ＣＣＥ）対リソースエレメントグループ（ＲＥＧ）マッピング関係パラメータを決定することであって、前記１つまたは複数のＣＯＲＥＳＥＴ  ＣＣＥ対ＲＥＧマッピング関係パラメータと前記取得された情報との間の対応が、前記端末デバイスと基地局（ＢＳ）との間であらかじめ規定される、１つまたは複数のＣＯＲＥＳＥＴ  ＣＣＥ対ＲＥＧマッピング関係パラメータを決定することと、
前記１つまたは複数のＣＯＲＥＳＥＴ  ＣＣＥ対ＲＥＧマッピング関係パラメータに基づいて物理ダウンリンク制御チャネル（ＰＤＣＣＨ）候補のセットを決定することと
を行わせるように設定された、装置（５００）。
【請求項１４】
前記１つまたは複数のメモリ（５２０）および前記コンピュータプログラムコードが、前記１つまたは複数のプロセッサ（５１０）とともに、前記装置（５００）に、請求項９から１２のいずれか一項に記載の方法を実施させるように設定された、請求項１３に記載の装置（５００）。
【請求項１５】
基地局（ＢＳ）において実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること（３０２）
を含み、前記１つまたは複数のＣＯＲＥＳＥＴ  ＣＣＥ対ＲＥＧマッピング関係パラメータが固定されており、前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含み、前記少なくとも１つのインターリービング関係パラメータは、インターリーバサイズが２であることを指示する、方法。
【請求項１６】
前記設定すること（３０２）が、前記指示されたインターリーバサイズをもつ固定インターリーバを使用して実施される、請求項１５に記載の方法。
【請求項１７】
前記ＣＯＲＥＳＥＴ  ＣＣＥが残存最小システム情報（ＲＭＳＩ）ＣＯＲＥＳＥＴ  ＣＣＥである、請求項１５または１６に記載の方法。
【請求項１８】
前記１つまたは複数のＣＯＲＥＳＥＴ  ＣＣＥ対ＲＥＧマッピング関係パラメータが、前記ＢＳと端末デバイスとの間であらかじめ規定される、請求項１５から１７のいずれか一項に記載の方法。
【請求項１９】
前記１つまたは複数のＣＯＲＥＳＥＴ  ＣＣＥ対ＲＥＧマッピング関係パラメータの数が１つであり、前記１つのＣＯＲＥＳＥＴ  ＣＣＥ対ＲＥＧマッピング関係パラメータが、非インターリーブであるように固定されるＣＣＥ対ＲＥＧマッピングタイプである、請求項１５に記載の方法。
【請求項２０】
基地局（ＢＳ）において実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること
を行わせるように設定され、前記１つまたは複数のＣＯＲＥＳＥＴ  ＣＣＥ対ＲＥＧマッピング関係パラメータが固定されており、前記１つまたは複数のＣＯＲＥＳＥＴ  ＣＣＥ対ＲＥＧマッピング関係パラメータの数が２つ以上であり、前記２つ以上のＣＯＲＥＳＥＴ  ＣＣＥ対ＲＥＧマッピング関係パラメータが、インターリーブであるように固定されるＣＣＥ対ＲＥＧマッピングタイプと、少なくとも１つのインターリービング関係パラメータとを含み、前記少なくとも１つのインターリービング関係パラメータは、インターリーバサイズが２であることを指示する、装置（５００）。
【請求項２１】
基地局（ＢＳ）において実装される方法であって、前記方法が、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定すること（４０２）と、
同期信号（ＳＳ）／物理ブロードキャストチャネル（ＰＢＣＨ）ブロックを送信すること（４０４）と
を含み、前記ＳＳ／ＰＢＣＨブロックの前記送信中に使用された情報と前記１つまたは複数のＣＯＲＥＳＥＴ  ＣＣＥ対ＲＥＧマッピング関係パラメータとの間の対応が、前記ＢＳと端末デバイスとの間であらかじめ規定される、方法。
【請求項２２】
基地局（ＢＳ）において実装される装置（５００）であって、
１つまたは複数のプロセッサ（５１０）と、
コンピュータプログラムコードを備える１つまたは複数のメモリ（５２０）と
を備え、
前記１つまたは複数のメモリ（５２０）および前記コンピュータプログラムコードが、前記１つまたは複数のプロセッサ（５１０）とともに、前記装置（５００）に、少なくとも、
１つまたは複数の制御リソースセット（ＣＯＲＥＳＥＴ）制御チャネルエレメント（ＣＣＥ）対リソースエレメントグループ（ＲＥＧ）マッピング関係パラメータに基づいてＣＯＲＥＳＥＴ中でＣＣＥを設定することと、
同期信号（ＳＳ）／物理ブロードキャストチャネル（ＰＢＣＨ）ブロックを送信することと
を行わせるように設定され、前記ＳＳ／ＰＢＣＨブロックの前記送信中に使用された情報と前記１つまたは複数のＣＯＲＥＳＥＴ  ＣＣＥ対ＲＥＧマッピング関係パラメータとの間の対応が、前記ＢＳと端末デバイスとの間であらかじめ規定される、装置（５００）。
【国際調査報告】
2021510955.tif 000023
2021510955.tif 000024